(57)【要約】【課題】或る特定の病状の症例となる医用画像を容易に選出して編集し得ると共にそのような医用画像を必要に応じて適宜提示し得るように構成された医学教育支援システムを提供する。【解決手段】医学教育支援システムは医学画像提示システムを含み、この医学画像提示システムは一連の医用画像を所定の順序で配列して成る医用画像シナリオと、この医用画像シナリオを格納する格納手段と、医用画像を表示するための医用画像表示手段１０と、医用画像表示手段での表示医用画像の切替を前記所定の順序で行うための画像送り手段（５８Ｃ、５８Ｄ）と、医用画像表示手段での表示医用画像の切替を所定の順序とは無関係に行うための画像切替手段とを具備して成る。【選択図】        図１
2005253638.tif 000002
【特許請求の範囲】
【請求項１】
格納手段と、
前記格納手段に構築された医用画像データベースとを具備し、前記医用画像データベースには個々の医用画像データに画像ＩＤ番号データが付与されており、
更に、複数の画像ＩＤ番号データを含む医用画像シナリオであって、前記格納手段に格納された医用画像シナリオを具備し、前記医用画像シナリオは所定の順序で配列された複数の名称データから成り、各名称データには少なくとも１つの画像ＩＤ番号データが含まれており、
更に、前記医用画像シナリオの各名称データに含まれる画像ＩＤ番号データに対応する医用画像データを前記医用画像データベースから読み出して該医用画像データに基づく医用画像を表示するためのモニタ手段と、
前記モニタ手段での医用画像の表示を切り替えるための画像表示切替手段とを具備して成る医用画像提示システム。
【請求項２】
請求項１に記載の医用画像提示システムにおいて、前記画像表示切替手段が医用画像の表示切替を前記名称データの配列順に沿って行うための第１の画像送り手段と、医用画像の表示切替を前記名称データの配列順とは無関係に行うための第２の画像送り手段とから成ることを特徴とする医用画像提示システム。
【請求項３】
請求項１または２に記載の医用画像提示システムにおいて、前記医用画像データベースには個々の患者毎に一連の医用画像データが格納されると共に該一連の医用画像データに対して患者情報データが付与されており、前記モニタ示手段での医用画像の表示時にその患者情報データを該モニタ手段に必要に応じて表示させるための患者情報データ表示手段が設けられることを特徴とする医用画像提示システム。
【請求項４】
請求項１から３までのいずれか１項に記載の医用画像提示システムにおいて、前記医用画像データベースには更に個々の医用画像データにその医用画像データの画像情報データが付与されており、前記モニタ手段での医用画像の表示時にその画像情報データを必要に応じて表示させるための画像情報データ表示手段が設けられることを特徴とする医用画像提示システム。
【請求項５】
請求項１から４までのいずれか１項に記載の医用画像提示システムにおいて、前記格納手段には前記医用画像シナリオについての総合所見データが所定アドレスに格納されており、前記モニタ手段での医用画像の表示時に該総合所見データを必要に応じて表示させるための総合所見データ表示手段が設けられることを特徴とする医用画像提示システム。
【請求項６】
請求項１から５までのいずれか１項に記載の医用画像提示システムにおいて、前記格納手段には前記医用画像シナリオ中の少なくとも１つの画像ＩＤ番号データに対応した医用画像上に表示すべきマーカーがマーカーデータとして所定アドレスに格納されており、前記モニタ手段での該医用画像の表示時に該マーカーデータに基づくマーカーを必要に応じて表示させるためのマーカー表示手段が設けられることを特徴とする医用画像提示システム。
【請求項７】
請求項１から６までのいずれか１項に記載の医用画像提示システムにおいて、前記医用画像シナリオ中の画像ＩＤ番号データに対応する医用画像が一連のスライス画像データから構成される医用画像であるときに、該一連のスライス医用画像データから三次元医用画像データを作成してその三次元医用画像データに基づく三次元医用画像を前記モニタ手段に必要に応じて表示させる三次元医用画像作成／表示手段が設けられることを特徴とする医用画像提示システム。
【請求項８】
請求項１から６までのいずれか１項に記載の医用画像提示システムにおいて、前記医用画像シナリオ中の画像ＩＤ番号データに対応する医用画像が一連のスライス画像データから構成される医用画像であるときに、該一連のスライス医用画像データから三次元医用画像データが予め作成されて前記格納手段に格納され、該三次元画像データに基づく三次元医用画像を前記モニタ手段に必要に応じて表示させるための三次元医用画像表示手段が設けられることを特徴とする医用画像提示システム。
【請求項９】
格納手段と、
前記格納手段に構築された医用画像データベースとを具備し、前記医用画像データベースには個々の医用画像データに画像ＩＤ番号データが付与されており、
前記医用画像データベースから所望の医用画像データを選出する医用画像選出手段と、
前記医用画像選出手段により選出された少なくとも１つの医用画像データに基づいて医用画像を表示するためのモニタ手段と、
前記モニタ手段に表示された少なくとも１枚の医用画像の画像ＩＤ番号データに名称データを付与する名称データ付与手段と、
前記名称データ付与手段によって付与した順に名称データを配列してその名称データと共に該当画像ＩＤ番号データを医用画像シナリオとして前記格納手段に格納する医用画像シナリオ格納手段とを具備して成る医用画像シナリオ作成システム。
【請求項１０】
請求項９に記載の医用画像シナリオ作成システムにおいて、前記名称データの配列順を変更するための医用画像配列変更手段が設けられることを特徴とする医用画像シナリオ作成システム。
【請求項１１】
請求項９または１０に記載の医用画像シナリオ作成システムにおいて、
前記医用画シナリオから名称データを削除するための名称データ削除手段が設けられることを特徴とする医用画像シナリオ作成システム。
【請求項１２】
請求項９から１１までのいずれか１項に記載の医用画像シナリオ作成システムにおいて、前記医用画像シナリオについての総合所見データを作成して前記格納手段の所定アドレスに格納するための総合所見データ作成／格納手段が設けられることを特徴とする医用画像シナリオ作成システム。
【請求項１３】
請求項９から１２までのいずれか１項に記載の医用画像シナリオ作成システムにおいて、前記名称データ付与手段により名称データが仮名称データとして付与され、前記仮名称データを変更するための名称変更手段が設けられることを特徴とする医用画像シナリオ作成システム。
【請求項１４】
請求項９から１３までのいずれか１項に記載の医用画像シナリオ作成システムにおいて、前記モニタ手段に少なくとも２つ以上の医用画像を表示する際に該モニタ手段の表示画面を種々の態様で分割するための表示画面分割手段が設けられることを特徴とする医用画像シナリオ作成システム。
【請求項１５】
請求項９から１４までのいずれか１項に記載の医用画像シナリオ作成システムにおいて、前記モニタ手段で表示された医用画像にマーカーを付与するために該マーカーのマーカーデータを作成して前記格納手段の所定アドレスに格納するためのマーカー作成／格納手段が設けられることを特徴とする医用画像シナリオ作成システム。
【請求項１６】
格納手段に構築されかつ多数の医用画像データのそれぞれに画像ＩＤ番号を付与したものから成る医用画像データを用いて医用画像を提示する医用画像提示方法であって、
複数の画像ＩＤ番号データを含む医用画像シナリオを準備するシナリオ準備段階を包含し、前記医用画像シナリオは所定の順序で配列された複数の名称データから成り、各名称データには少なくとも１つの画像ＩＤ番号データが含まれており、
更に、前記名称データのそれぞれに含まれる画像ＩＤ番号データに対応した医用画像をモニタ手段に表示すべく所定の名称データを指定するための名称データ指定段階と、
前記名称データ指定段階で所定の名称データが指定される度毎に、該所定の名称データに含まれる画像ＩＤ番号データに対応した医用画像データを前記医用画像データベースから読み出してその医用画像データに基づく医用画像を前記モニタ手段に表示する画像表示段階とを包含して成る医用画像提示方法。
【請求項１７】
請求項１６に記載の医用画像提示方法において、前記医用画像データベースには個々の患者毎に一連の医用画像データが格納されると共に該一連の医用画像データに対して患者情報データが付与されており、前記モニタ手段での医用画像の表示時にその患者情報データを必要に応じて該モニタ手段に表示させるための患者情報データ表示段階が更に包含されることを特徴とする医用画像提示方法。
【請求項１８】
請求項１６または１７に記載の医用画像提示方法において、前記医用画像データベースには個々の医用画像データにその医用画像データの画像情報データが付与されており、前記モニタ手段での医用画像の表示時にその画像情報データを必要に応じて表示させるための画像情報データ表示段階が更に包含されることを特徴とする医用画像提示方法。
【請求項１９】
請求項１６から２３までのいずれか１項に記載の医用画像提示方法において、前記医用画像シナリオ中の画像ＩＤ番号データに対応する医用画像が一連のスライス画像データから構成される医用画像であるときに、該一連のスライス医用画像データから三次元医用画像データを作成してその三次元医用画像データに基づく三次元医用画像を前記モニタ手段に必要に応じて表示させる三次元医用画像作成／表示段階が更に包含されることを特徴とする医用画像提示方法。
【請求項２０】
請求項１６から２３までのいずれか１項に記載の医用画像提示方法において、前記医用画像シナリオ中の画像ＩＤ番号データに対応する医用画像が一連のスライス画像データから構成される医用画像であるときに、該一連のスライス医用画像データから三次元医用画像データが予め作成されて前記格納手段に格納されており、該三次元画像データに基づく三次元医用画像を前記モニタ手段に必要に応じて表示させるための三次元医用画像表示段階が更に包含されることを特徴とする医用画像提示方法。
【請求項２１】
請求項１６から２０までのいずれか１項に記載の医用画像提示方法において、前記シナリオ準備段階が
前記医用画像データベースから少なくとも１つの所望の医用画像データを選出する医用画像選出段階と、
前記医用画像選出段階で選出された少なくとも１つの所望の医用画像データに名称データを付与する名称データ付与段階と、
前記名称データ付与段階で付与した順に名称データを配列してその名称データと共に該当画像ＩＤ番号データを医用画像シナリオとして前記格納手段に格納するシナリオ格納段階とから成ることを特徴とする医用画像提示方法。
【請求項２２】
請求項２１に記載の医用画像提示方法において、前記名称データの配列順を必要に応じて変更するための医用画像配列変更段階が包含されることを特徴とする医用画像提示方法。
【請求項２３】
請求項２１または２２に記載の医用画像提示方法において、前記医用画シナリオから名称データを必要に応じて削除するための名称データ削除段階が包含されることを特徴とする医用画像提示方法。
【請求項２４】
請求項２１から２３までのいずれか１項に記載の医用画像提示方法において、前記医用画像シナリオについての総合所見データを必要に応じて作成して前記格納手段の所定アドレスに格納するための総合所見データ作成／格納段階が更に包含されることを特徴とする医用画像提示方法。
【請求項２５】
請求項２４に記載の医用画像提示方法において、前記医用画像表示手段での医用画像の表示時に該総合所見データを必要に応じて表示させるための総合所見データ表示段階が更に包含されることを特徴とする医用画像提示方法。
【請求項２６】
請求項２１から２５までのいずれか１項に記載の医用画像提示方法において、前記医用画像シナリオ中の少なくとも１つの画像ＩＤ番号データに対応した医用画像上に表示すべきマーカーを必要に応じて作成して前記格納手段にマーカーデータとして所定アドレスに格納するためのマーカーデータ作成／格納段階が更に包含されることを特徴とする医用画像提示方法。
【請求項２７】
請求項２６に記載の医用画像提示方法において、前記医用画像表示手段での該医用画像の表示時に前記マーカーデータに基づいてマーカーを必要に応じて表示させるためのマーカー表示段階が更に包含されることを特徴とする医用画像提示方法。
【請求項２８】
請求項２１から２７までのいずれか１項に記載の医用画像提示方法において、前記名称データ付与段階で名称データが仮名称データとして付与され、前記仮名称データを変更するための名称変更段階が更に包含されることを特徴とする医用画像提示方法。
【請求項２９】
請求項２１から２８までのいずれか１項に記載の医用画像提示方法において、前記医用画像表示手段に少なくとも２つ以上の医用画像を表示する際に該医用画像表示手段の表示画面を種々の態様で分割するための表示画面分割段階が更に包含されることを特徴とする医用画像提示方法。
【請求項３０】
請求項２１から２９までのいずれか１項に記載の医用画像提示方法を実行させるためのプログラムを格納した記憶媒体。
【請求項３１】
請求項２１から２９までのいずれか１項に記載の医用画像提示方法で使用される医用画像シナリオを格納した記憶媒体。
【発明の詳細な説明】
【技術分野】
【０００１】
本発明は一般的には画像編集／提示システムに関し、一層詳しくは、医学教育を支援するために医用画像を編集して提示する医学教育支援システム及び医学教育支援方法に関する。
【背景技術】
【０００２】
医学教育には医用画像が屡々用いられ、このような医用画像を医学生等に提示するための画像提示システムとしては、シャアカステン、オーバーヘッドプロジェクタ（ＯＨＰ）やスライドプロジェクタ等を用いるものが知られている。シャアカステンはＸ線画像フィルム、Ｘ線ＣＴ(Computerized Tomography)画像フィルムやＭＲＩ(Magnetic Resonance Imaging)画像フィルム等の透過性医用画像を背後から照明して該透過性医用画像を詳細に観察し得るようにしたものであり、ＯＨＰは医用画像が透過性であるか非透過性に拘わらずにスクリーン上に投影し得るようにしたものであり、またスライドプロジェクタは医用画像をスライド化してスクリーンに投影し得るようにしたものである。いずれにしても、このような従来の画像提示システムに用いられる医用画像は適宜分類されてライブラリとして保管されることになる。
【０００３】
医学教育の現場では、或る特定の病状を講義するとき、該病状の症例となる医用画像を従来の画像提示装置によって提示することがよく行われる。このような場合、かかる症例に関連した医用画像を上述のライブラリから選出して編集することが必要となるが、しかし該ライブラリ内の膨大な医用画像から或る特定の病状の症例となる医用画像だけを探し出して編集することは相当に面倒な作業となる。
【発明の開示】
【発明が解決しようとする課題】
【０００４】
従って、本発明の目的は、或る特定の病状の症例となる医用画像を容易に選出して編集し得ると共にそのような医用画像を必要に応じて適宜提示し得るように構成された医学教育支援システムを提供することである。具体的には、本発明による医学教育支援システムは一連の医用画像から成る医用画像シナリオを作成するための医用画像シナリオ作成システムと、該医用画像シナリオの医用画像を順次提示するための医用画像提示システムとを含み、本発明はそれらシステムを提供することを目的とする。
【０００５】
また、本発明の別の目的は上述の医学教育支援システムに関連した種々の記憶媒体を提供することである。
【課題を解決するための手段】
【０００６】
本発明による第１の局面によれば、医用画像提示システムが提供され、この医用画像提示システムは、格納手段と、この格納手段に構築された医用画像データベースとを具備し、この医用画像データベースには個々の医用画像データに画像ＩＤ番号データが付与される。本発明による医用画像提示システムは、更に、複数の画像ＩＤ番号データを含む医用画像シナリオであって、格納手段に格納された医用画像シナリオを具備し、該医用画像シナリオは所定の順序で配列された複数の名称データから成り、各名称データには少なくとも１つの画像ＩＤ番号データが含まれる。本発明による医用画像システムは、更に、医用画像シナリオの各名称データに含まれる画像ＩＤ番号データに対応する医用画像データを医用画像データベースから読み出して該医用画像データに基づく医用画像を表示するためのモニタ手段と、このモニタ手段での医用画像の表示を切り替えるための画像表示切替手段とを具備して成る。
【０００７】
好ましくは、画像表示切替手段は医用画像の表示切替を名称データの配列順に沿って行うための第１の画像送り手段と、医用画像の表示切替を名称データの配列順とは無関係に行うための第２の画像送り手段とから成る。
【０００８】
本発明による医用画像提示システムにおいては、好ましくは、医用画像データベースには個々の患者毎に一連の医用画像データが格納されると共に該一連の医用画像データに対して患者情報データが付与され、この場合には、モニタ示手段での医用画像の表示時にその患者情報データを該モニタ手段に必要に応じて表示させるための患者情報データ表示手段が設けられる。
【０００９】
また、本発明による医用画像提示システムにおいては、医用画像データベースには更に個々の医用画像データにその医用画像データの画像情報データが付与されてもよく、この場合には、モニタ手段での医用画像の表示時にその画像情報データを必要に応じて表示させるための画像情報データ表示手段が設けられる。
【００１０】
更に、本発明による医用画像提示システムにおいては、格納手段には医用画像シナリオについての総合所見データが所定アドレスに格納されてもよく、この場合には、モニタ手段での医用画像の表示時に該総合所見データを必要に応じて表示させるための総合所見データ表示手段が設けられる。
【００１１】
好ましくは、本発明による医用画像提示システムでは、格納手段には医用画像シナリオ中の少なくとも１つの画像ＩＤ番号データに対応した医用画像上に表示すべきマーカーがマーカーデータとして所定アドレスに格納され、この場合には、モニタ手段での該医用画像の表示時に該マーカーデータに基づくマーカーを必要に応じて表示させるためのマーカー表示手段が設けられる。
【００１２】
本発明による医用画像提示システムでは、医用画像シナリオ中の画像ＩＤ番号データに対応する医用画像が一連のスライス画像データから構成される医用画像であるときに、好ましくは、該一連のスライス医用画像データから三次元医用画像データを作成してその三次元医用画像データに基づく三次元医用画像をモニタ手段に必要に応じて表示させる三次元医用画像作成／表示手段が設けられる。
【００１３】
また、本発明による医用画像提示システムでは、医用画像シナリオ中の画像ＩＤ番号データに対応する医用画像が一連のスライス画像データから構成される医用画像であるときに、該一連のスライス医用画像データから三次元医用画像データが予め作成されて格納手段に格納されてもよく、この場合には、該三次元画像データに基づく三次元医用画像をモニタ手段に必要に応じて表示させるための三次元医用画像表示手段が設けられる。
【００１４】
本発明による第１の局面によれば、医用画像シナリオ作成システムが提供され、この医用画像シナリオ作成システムは、格納手段と、この格納手段に構築された医用画像データベースとを具備し、この医用画像データベースには個々の医用画像データに画像ＩＤ番号データが付与される。本発明による医用画像シナリオ作成システムは、更に、医用画像データベースから所望の医用画像データを選出する医用画像選出手段と、医用画像選出手段により選出された少なくとも１つの医用画像データに基づいて医用画像を表示するためのモニタ手段と、このモニタ手段に表示された少なくとも１枚の医用画像の画像ＩＤ番号データに名称データを付与する名称データ付与手段と、この名称データ付与手段によって付与した順に名称データを配列してその名称データと共に該当画像ＩＤ番号データを医用画像シナリオとして格納手段に格納する医用画像シナリオ格納手段とを具備して成る。
【００１５】
好ましくは、本発明による医用画像シナリオ作成システムには、名称データの配列順を変更するための医用画像配列変更手段や医用画シナリオから名称データを削除するための名称データ削除手段が設けられる。
【００１６】
また、好ましくは、本発明による医用画像シナリオ作成システムには、医用画像シナリオについての総合所見データを作成して格納手段の所定アドレスに格納するための総合所見データ作成／格納手段が設けられる。
【００１７】
本発明による医用画像シナリオ作成システムにおいては、名称データ付与手段により名称データが仮名称データとして付与されてもよく、この場合には仮名称データを変更するための名称変更手段が設けられる。
【００１８】
好ましくは、本発明による医用画像シナリオ作成システムには、モニタ手段に少なくとも２つ以上の医用画像を表示する際に該モニタ手段の表示画面を種々の態様で分割するための表示画面分割手段が設けられる。
【００１９】
好ましくは、本発明による医用画像シナリオ作成システムには、モニタ手段で表示された医用画像にマーカーを付与するために該マーカーのマーカーデータを作成して格納手段の所定アドレスに格納するためのマーカー作成／格納手段が設けられる。
【００２０】
本発明の第３の局面によれば、格納手段に構築されかつ多数の医用画像データのそれぞれに画像ＩＤ番号を付与したものから成る医用画像データを用いて医用画像を提示する医用画像提示方法が提供され、この医用画像提示方法は、複数の画像ＩＤ番号データを含む医用画像シナリオを準備するシナリオ準備段階を包含し、医用画像シナリオは所定の順序で配列された複数の名称データから成り、各名称データには少なくとも１つの画像ＩＤ番号データが含まれる。本発明による医用画像提示方法は、更に、名称データのそれぞれに含まれる画像ＩＤ番号データに対応した医用画像をモニタ手段に表示すべく所定の名称データを指定するための名称データ指定段階と、この名称データ指定段階で所定の名称データが指定される度毎に、該所定の名称データに含まれる画像ＩＤ番号データに対応した医用画像データを医用画像データベースから読み出してその医用画像データに基づく医用画像をモニタ手段に表示する画像表示段階とを包含する。
【００２１】
好ましくは、本発明による医用画像提示方法においては、医用画像データベースには個々の患者毎に一連の医用画像データが格納されると共に該一連の医用画像データに対して患者情報データが付与され、この場合には、モニタ手段での医用画像の表示時にその患者情報データを必要に応じて該モニタ手段に表示させるための患者情報データ表示段階が更に包含される。
【００２２】
好ましくは、本発明による医用画像提示方法においては、医用画像データベースには個々の医用画像データにその医用画像データの画像情報データが付与され、この場合には、モニタ手段での医用画像の表示時にその画像情報データを必要に応じて表示させるための画像情報データ表示段階が更に包含される。
【００２３】
本発明による医用画像提示方法においては、医用画像シナリオ中の画像ＩＤ番号データに対応する医用画像が一連のスライス画像データから構成される医用画像であるときに、好ましくは、該一連のスライス医用画像データから三次元医用画像データを作成してその三次元医用画像データに基づく三次元医用画像をモニタ手段に必要に応じて表示させる三次元医用画像作成／表示段階が更に包含される。
【００２４】
本発明による医用画像提示方法においては、医用画像シナリオ中の画像ＩＤ番号データに対応する医用画像が一連のスライス画像データから構成される医用画像であるときに、好ましくは、該一連のスライス医用画像データから三次元医用画像データが予め作成されて格納手段に格納され、この場合には、該三次元画像データに基づく三次元医用画像をモニタ手段に必要に応じて表示させるための三次元医用画像表示段階が更に包含される。
【００２５】
本発明による医用画像提示方法において、好ましくは、シナリオ準備段階は、医用画像データベースから少なくとも１つの所望の医用画像データを選出する医用画像選出段階と、この医用画像選出段階で選出された少なくとも１つの所望の医用画像データに名称データを付与する名称データ付与段階と、この名称データ付与段階で付与した順に名称データを配列してその名称データと共に該当画像ＩＤ番号データを医用画像シナリオとして格納手段に格納するシナリオ格納段階とから成る。
【００２６】
本発明による医用画像提示方法においては、名称データの配列順を必要に応じて変更するための医用画像配列変更段階や医用画シナリオから名称データを必要に応じて削除するための名称データ削除段階が包含されてもよい。
【００２７】
本発明による医用画像提示方法においては、好ましくは、医用画像シナリオについての総合所見データを必要に応じて作成して格納手段の所定アドレスに格納するための総合所見データ作成／格納段階が更に包含される。
【００２８】
本発明による医用画像提示方法においては、好ましくは、医用画像表示手段での医用画像の表示時に該総合所見データを必要に応じて表示させるための総合所見データ表示段階が更に包含される。
【００２９】
本発明による医用画像提示方法においては、好ましくは、医用画像シナリオ中の少なくとも１つの画像ＩＤ番号データに対応した医用画像上に表示すべきマーカーを必要に応じて作成して格納手段にマーカーデータとして所定アドレスに格納するためのマーカーデータ作成／格納段階が更に包含される。この場合には、本発明による医用画像提示方法には、医用画像表示手段での該医用画像の表示時にマーカーデータに基づいてマーカーを必要に応じて表示させるためのマーカー表示段階が更に包含される。
【００３０】
本発明による
医用画像提示方法においては、名称データ付与段階で名称データが仮名称データとして付与されてもよく、この場合には、仮名称データを変更するための名称変更段階が更に包含される。
【００３１】
好ましくは、本発明による医用画像提示方法においては、医用画像表示手段に少なくとも２つ以上の医用画像を表示する際に該医用画像表示手段の表示画面を種々の態様で分割するための表示画面分割段階が更に包含される。
【００３２】
本発明の第４の局面によれば、上述したような医用画像提示方法を実行させるためのプログラムを格納した記憶媒体及び該医用画像提示方法で使用される医用画像シナリオを格納した記憶媒体が提供される。
【発明を実施するための最良の形態】
【００３３】
次に、添付図面を参照して、本発明による医学教育支援システムの一実施形態について説明する。
【００３４】
図１を参照すると、本発明による医学教育支援システムの一実施形態が概略的に示されている。同図に示すように、医学教育支援システムはパーソナルコンピュータ１０と、ハードディスク装置１２と、モニタ装置１４とを具備する。なお、図１では、ハードディスク装置１２は便宜的にパーソナルコンピュータ１０の外部に図示されているが、このハードディスク装置１２自体はパーソナルコンピュータ１０に内蔵されているものである。
【００３５】
周知のように、パーソナルコンピュータ１０はマイクロコンピュータから成り、該マイクロコンピュータには中央演算処理ユニット（ＣＰＵ）と、種々のプログラムや定数等を格納する読出し専用メモリ（ＲＯＭ）と、ＣＰＵの動作時に一時的なデータを格納する書込み読出し自在なメモリ（ＲＡＭ）と、入出力インタフェース回路（Ｉ／Ｏ）等が設けられる。また、パーソナルコンピュータ１０には外部入力装置としてキーボード１６及びマウス１８が接続され、これら外部入力装置（１６、１８）を介して種々の指令信号やデータ等がパーソナルコンピュータ１０に入力されるようになっている。更に、パーソナルコンピュータ１０にはフロッピーディスクドライバ、ＣＤ−ＲＯＭドライバ及びＤＶＤドライバが内蔵されている。
【００３６】
パーソナルコンピュータ１０内のハードディスク装置１２には後述するように医用画像データベースが構築されると共に本発明による医学教育支援システムの一部を構成する画像編集／提示プログラム等が格納される。なお、本実施形態では、画像編集／提示プログラムについては、Windows（登録商標）のＯＳ(Operation System)に基づいて作成されている。
【００３７】
本発明による医学教育支援システムでは、後で詳しく説明するように、医用画像データベースから所望の医用画像データを読み出し、それら医用画像データに基づいて医用画像がモニタ装置１４に表示され得るようになっている。また、本実施形態では、モニタ装置１４で表示される医用画像は例えばＬＡＮ(local area network）を介して複数のパーソナルコンピュータ２０に配信されてそれらのモニタ装置でも表示されるようになっており、これにより医用画像を多くの医学生に同時に提示することが可能となる。
【００３８】
図１に示すように、パーソナルコンピュータ１０にはフィルムデジタイザ２２やスライドスキャナ２４が周辺機器として必要に応じて接続されるようになっている。フィルムデジタイザ２２は例えばアナログＸ線医用画像フィルム、アナログＸ線ＣＴ画像フィルム及びアナログＭＲＩ等をデジタル医用画像としてパーソナルコンピュータ１０に取り込むために使用され、またスライドスキャナ２４はアナログ医用スライドをデジタル医用画像としてパーソナルコンピュータ１０に取り込むために使用される。パーソナルコンピュータ１０に取り込まれた種々のデジタル医用画像はそこで適宜処理された後にハードディスク装置１２に構築された医用画像データベースに加えられ得る。
【００３９】
ハードディスク装置１２に構築された医用画像データベースでは、医用画像データは個々の患者毎に所定のフォーマットに従って纏めて格納されている。図２を参照すると、医用画像データベースに医用画像データを格納するためのフォーマットが概念的かつ概略的に例示される。同図から明らかなように、本実施形態では、各フォーマットにはヘッダー領域ＨＤと画像格納領域ＩＳとが設けられ、ヘッダー領域ＨＤは第１の区分領域及び第２の区分領域に分けられ、画像格納領域ＩＳは第１、第２、第３及び第４の区分領域に分けられる。
【００４０】
図２に例示するように、ヘッダー領域ＨＤの第１の区分領域には、患者を特定するための個人情報データ、例えば患者名（ＴＴ）、患者ＩＤ番号（ＦＴ００００１）、年齢（７１）、性別（Ｍ）、検査日（１９９８．８．２２）、病名分類項目（肺扁平上皮癌）、病名（肺癌）、組成（左肺）、部位（左下葉）及び症例重要度（Ｂ）が書き込まれ、またヘッダー領域ＨＤの第２の区分領域には、この患者の病気に対する患者所見データが書き込まれる。なお、症例重要度とは当該症例が病理学的及び臨床医学的に見て症例としての重要度を評価したものであり、本実施形態では、重要度の高い順にＡ、Ｂ及びＣにランク分けされる。一方、画像格納領域ＩＳには、例えば、その第１、第２、第３及び第４の区分領域のそれぞれにはＸ線ＣＴ画像データ、Ｘ線画像データ、標本画像データ及び組織画像データが格納され、個々の画像データにはその画像データを特定するための画像ＩＤ番号データ及び画像情報データが付加される。本実施形態では、Ｘ線ＣＴ画像データ及びＸ線画像データについてはＤＩＣＯＭ形式（Digital Imaging and Communications in Medicine）とされ、標本画像データ及び組織画像データについてはビットマップ形式或いはＪＰＥＧ（Joint Photographic Coding Experts Group）形式等とされる。なお、画像格納領域ＩＳの第１の区分領域にはＸ線ＣＴ画像データの代わりにＭＲＩ画像データが格納されてもよい。
【００４１】
図３を参照すると、パーソナルコンピュータ１０のハードディスク装置１２に格納された画像編集／提示プログラムが立ち上げられた際のモニタ装置１４の初期画面が示され、同図から明らかなように、該初期画面にはWindows（登録商標）のＯＳに基づくメニューバー２６及びツールバー２８が表示される。周知のように、メニューバー２６には終了ボタン３０が表示され、この終了ボタン３０がマウス１８の操作によりクリックされると、画像編集／提示プログラムは閉じられことになる。また、ツールバー２８には本画像編集／提示プログラムに特有なボタンとしてシナリオ表示モード選択ボタン３２、シナリオ作成モード選択ボタン３３及びシナリオ作成／表示ボタン３４が設けられるが、これらボタン３２、３３及び３４の機能については後述する。
【００４２】
ここで、本明細書で使用されるシナリオという用語について説明する。或る特定の病状を医学生に対して講義するためには、該病状の症例となる医用画像を医用画像データベースから適宜選出して編集し、これにより講義のための医用画像集を作成することが必要であり、しかも講義の進行に応じて該医用画像集の医用画像を適宜提示することが求められる。以下の記載では、そのような医用画像集についてシナリオとして言及される。
【００４３】
なお、以下の記載では、説明の便宜上、モニタ装置１４の表示画面上に表示されたボタンをマウス１８の操作によりクリックするということについては単にクリックするという表現を使用し、マウス１８についていちいち言及しないこととする。
【００４４】
また、図３に示す初期画面にはハードディスク装置１２に構築されたデータベースにアクセスするためのツール表示領域３６が含まれ、このツール表示領域３６はツールバー２８の直下に配置される。ツール表示領域３６にはデータベース（ＤＢ）読込ボタン３８、検索ボタン４０及びクリアボタン４２が設けられる。また、ツール表示領域３６には種々の検索データ入力窓枠、即ち“患者名”の付された患者名入力窓枠、“患者ＩＤ”の付された患者ＩＤ番号入力窓枠、“年齢”の付された年齢入力窓枠、“性別”の付された性別入力窓枠、“検査日”の付された検査日入力窓枠、“病名分類項目”の付された病名分類項目入力窓枠、“病名選択”の付された病名入力窓枠、“組成”の付された組成入力窓枠、“部位”の付された部位入力窓枠及び“症例重要度”の付された症例重要度入力窓枠も設けられる。更に、ツール表示領域３６には患者データ表示領域４４も含まれる。
【００４５】
図３に示すように、モニタ装置１４の初期画面には画像表示領域４６及びサムネイル画像表示領域４８とが含まれ、これら双方の領域はツール表示領域３６の直下に配置される。画像表示領域４６はツールバー５０及び表示条件バー５２を備える。
【００４６】
ツールバー５０には画像表示領域４６に表示された医用画像を回転させるための画像回転ボタン５０Ａ及び５０Ｂ、該医用画像の表示倍率を変更するための倍率変更ボタン５０Ｃ及び５０Ｄ、及びマーカー入力ボタン５０Ｅ等が設けられる。画像回転ボタン５０Ａがクリックされる度毎に、画像表示領域４６に表示された医用画像は反時計回りに９０度ずつ回転させられ、画像回転ボタン５０Ｂがクリックされる度毎に、画像表示領域４６に表示された医用画像は時計回りに９０度ずつ回転させられる。また、倍率変更ボタン５０Ｃがクリックされる度毎に、画像表示領域４６での医用画像の表示倍率は所定の倍率で増大させられ、倍率変更ボタン５０Ｄがクリックされる度毎に、画像表示領域４６での医用画像の表示倍率は所定の倍率で縮小させられる。なお、マーカー入力ボタン５０Ｅの機能については後で詳しく説明する。
【００４７】
表示条件バー５２には医用画像の表示条件を表示するための表示窓枠５２Ａ、５２Ｂ、５２Ｃ、５２Ｄ及び５２Ｅが設けられる。
【００４８】
例えば、画像表示領域４６にＸ線医用画像或いはＸ線ＣＴ画像（ＭＲＩ画像）が表示されたとき、表示窓枠５２Ａ及び５２Ｂのそれぞれには濃度階調幅即ちウインド幅値（ＷＷ）及びウインドレベル値（ＷＬ）が表示される。Ｘ線医用画像或いはＸ線ＣＴ画像（ＭＲＩ画像）が画像表示領域４６に表示されているとき、表示窓枠５２Ａ及び５２Ｂ内のウインド幅値及びウインドレベル値については、例えばキーボード１６やマウス１８を用いて適宜変更することが可能であり、これによりＸ線医用画像或いはＸ線ＣＴ画像（ＭＲＩ画像）に含まれる特定の組織画像（例えば、骨組織画像、血管組織画像等）を鮮明に表示させることができる。
【００４９】
表示窓枠５２Ｃには画像表示領域４６に現に表示されている医用画像の倍率（Ｓｃａｌｅ）が表示され、この倍率表示は上述の倍率変更ボタン５０Ｃ及び５０Ｄのクリック操作により変動させられる。
【００５０】
表示窓枠５２Ｄは表示条件選択窓枠として機能し、本実施形態では、表示条件選択窓枠５２Ｄには、そのスクロールバー５２ｄをマウス１８でクッリク操作することにより数値“１”、“２”及び“３”のうちのいずれか１つが選択表示され得るようになっており、画像表示領域４６には後述するように医用画像が選択表示された数値（“１”、“２”、“３”）に対応した表示条件で表示される。なお、初期設定では、表示条件選択窓枠５２Ｄには常に数値“１”が選択表示される。
【００５１】
表示窓枠５２Ｅはマーカー表示選択窓枠として機能し、本実施形態では、マーカー表示選択窓枠５２Ｅには、そのスクロールバー５２ｅをマウス１８でクッリク操作することにより数値“１”、“２”及び“３”のうちのいずれか１つが選択表示され得るようになっている。ところで、画像表示領域４６に表示された医用画像については注目すべき個所が含まれ、その注目すべき個所を指示するためには該医用画像に適当なマーカーを付することが必要となる。本実施形態おいては、上述の画像編集／提示プログラムは後で詳しく説明するように医用画像に付すべきマーカーを作成するマーカー作成機能も備え、しかも個々の医用画像に対して３組のマーカー、即ち第１組のマーカー、第２組のマーカー及び第３組のマーカーが用意されるようになっている。マーカー表示選択窓枠５２Ｅに数値“１”が選択表示されると、当該医用画像には第１組のマーカーが付され、マーカー表示選択窓枠５２Ｅに数値“２”が選択表示されると、当該医用画像には第２組のマーカーが付され、マーカー表示選択窓枠５２Ｅに数値“３”が選択表示されると、当該医用画像には第３組のマーカーが付されるようになっている。なお、初期設定では、マーカー表示選択窓枠５２Ｅには数値“１”、“２”及び“３”のうちのいずれも表示されず、このため画像表示領域４６に表示された医用画像には何らマークは付されない。
【００５２】
ツール表示領域３６上のＤＢ読込ボタン３８がクリックされると、モニタ装置１４の初期画面は図４に示すような画面に切り換わる。即ち、ＤＢ読込ボタン３８のクリック操作により、ハードディスク装置１２内の医用画像データベースから個々の患者情報データが読み出されて患者データ表示領域４４に表示される。即ち、患者データ表示領域４４には個々の患者を特定する種々の情報が患者ＩＤ番号順に表示される。図４に示す患者データ表示領域４４の例では、患者ＩＤ番号ＦＴ００００１で特定される患者が反転表示で選択されており、このとき当該患者（反転表示）に係わる医用画像データのすべてが医用画像データベースから読み出され、それら医用画像データは間引き処理を受けた後にサムネイル画像としてサムネイル画像表示領域４８に表示される。なお、すべてのサムネイル画像をサムネイル画像表示領域４８に表示できないときには、該サムネイル画像表示領域４８にはスクロールバー５４が現れ、このスクロールバー５４をマウス１８の操作により移動させることにより、すべてのサムネイル画像をサムネイル画像表示領域４８に表示させることができる。
【００５３】
患者データ表示領域４４での反転表示はマウス１８の操作によりシフトさせることが可能であり、もし患者ＩＤ番号ＦＴ００００２で特定される患者が反転表示で選択されると、サムネイル画像表示領域４８に表示されたサムネイル画像は患者ＩＤ番号ＦＴ００００２の患者に係わるものに置き換えられる。また、図４に示すように、患者データ表示領域４４にはスクロールバー５６が表示され、このスクロールバー５６をマウス１８の操作により移動させることにより、すべての患者データを表示させることができる。
【００５４】
ＤＢ読込ボタン３８のクリック操作により医用画像データベースにアクセスした後、ツール表示領域３６上の検索データ入力窓枠に検索データを入力し、その検索条件に適合した特定の患者データだけを患者データ表示領域４４に表示することも可能である。例えば、“患者名”の付された患者名入力窓枠に患者名をキーボード１６の操作によって入力した後に検索ボタン４０をクリックすると、該患者の患者データが患者データ表示領域４４に表示されると共にその患者に係わるすべての医用画像がサムネイル画像としてサムネイル画像表示領域４８に表示される。このような検索表示は患者ＩＤ番号を“患者ＩＤ”の付された患者ＩＤ番号入力窓枠に入力することによっても同様に行うことができる。
【００５５】
また、患者の年齢を検索データとして患者データを検索することも可能であり、この場合には、“年齢”の付された年齢入力窓枠に年齢の検索範囲を入力することにより、該検索範囲に含まれるすべての患者データを患者データ表示領域４４に表示させることができる。例えば、年齢入力窓枠に“７０”と“７５”をキーボード１６の操作によって入力された後に検索ボタン４０をクリックすると、年齢７０才から年齢７５才までのすべての患者の患者データが患者データ表示領域４４に表示され、このとき該患者データ表示領域４４の最上段に表示された患者データが反転表示され、その患者に係わるすべての医用画像がサムネイル画像としてサムネイル画像表示領域４８に表示される。上述した場合と同様に、この場合にも患者データ表示領域４４での反転表示をマウス１８の操作によりシフトさせて所望の患者を選択することにより、その選択された患者の係わるすべてのサムネイル画像をサムネイル画像表示領域４８に表示することができる。
【００５６】
更に、患者の検査日を検索データとして患者データを検索することも可能であり、この場合には、“検査日”の付された検査日入力窓枠に検査日の検索範囲を入力することにより、該検索範囲に含まれるすべての患者データを患者データ表示領域４４に表示させることができる。例えば、検査日入力窓枠に“１９９５．０２．１０”と“１９９９．０２．０９”をキーボード１６の操作によって入力された後に検索ボタン４０をクリックすると、１９９５年２月１０日から１９９９年２月９日までに検査されたすべての患者データが患者データ表示領域４４に表示され、このときも該患者データ表示領域４４の最上段に表示された患者データが反転表示され、その患者に係わるすべての医用画像がサムネイル画像としてサムネイル画像表示領域４８に表示される。また、年齢検索の場合と同様に、患者データ表示領域４４での反転表示をシフトさせて所望の患者を選択することにより、その選択された患者の係わるすべてのサムネイル画像をサムネイル画像表示領域４８に表示することができる。
【００５７】
上述した年齢検索及び検査日検索のいつずれ一方若しくは双方に性別データ検索、病名分類項目データ検索、病名データ検索、組成データ検索、部位データ検索並びに症例重要度データ検索のうちの少なくとも１つを組み合わせて検索を行うことも可能であり、これにより所望の患者データを速やかに医用画像データベースから探し出すことが可能である。勿論、この場合には、“性別”の付された性別入力窓枠、“病名分類項目”の付された病名分類項目入力窓枠、“病名選択”の付された病名入力窓枠、“組成”の付された組成入力窓枠、“部位”の付された部位入力窓枠及び“症例重要度”の付された症例重要度入力窓枠のそれぞれに性別データ（ＦまたはＭ）、病名分類項目データ（例えば肺扁平上皮癌）、病名データ（例えば肺癌）、組成データ（例えば左肺）、部位データ（例えば左下葉）並びに症例重要度データ（例えばＢ）が必要に応じて入力される。なお、クリアボタン４２がクリックされると、ツール表示領域３６上の種々の検索データ入力窓枠に入力された検索データはすべてクリアされる。
【００５８】
患者データ表示領域４４及びサムネイル画像表示領域４８のそれぞれに図４に例示するように患者データ及びサムネイル画像が表示された後に、サムネイル画像の１つがマウス１８の操作によってサムネイル画像表示領域４８から画像表示領域４６内にドラッグされると、該サムネイル画像に対応する医用画像データが医用画像データベースから読み出され、その医用画像データに基づく医用画像が図５に例示されるように画像表示領域４６に表示される。
【００５９】
ここで、シナリオ表示モード選択ボタン３２がクリックされると、図６に示すように、モニタ装置１４の表示画面からはツール表示領域３６及びサムネイル表示領域４８が排除されて画像表示領域４６は図６に示すように拡大表示される。また、シナリオ作成モード選択ボタン３３がクリックされると、画像表示領域４６は図５に示すような縮小表示に戻される。要するに、画像編集／提示プログラムの立上げ時にモニタ装置１４に表示される初期画面では、シナリオ作成モードが選択されることになる。
【００６０】
シナリオ作成／表示ボタン３４がクリックされると、図７に示すようなシナリオダイアログ５８がモニタ装置１４の表示画面上に現れる。シナリオダイアログ５８の表示位置は初期設定ではモニタ装置１４の表示画面の右上角部とされるが、その表示位置についてはマウス１８によるドラッグ操作で任意に変えることができる。なお、シナリオダイアログ５８には種々のボタンが設けられるが、これらボタンの機能については必要に応じてその都度説明することにする。
【００６１】
シナリオダイアログ５８はｍａｘ／ｍｉｎボタン５８Ａを有し、このｍａｘ／ｍｉｎボタン５８Ａがクリックされると、シナリオダイアログ５８には図８に示すような編集表示窓部６０が開かれる。編集表示窓部６０が開かれた状態でｍａｘ／ｍｉｎボタン５８Ａがクリックされると、該編集表示窓部６０は閉じられてシナリオダイアログ５８は図７に示す状態に戻る。
【００６２】
シナリオダイアログ５８にはＡＤＤボタン５８Ｂが設けられ、このＡＤＤボタン５８Ｂがクリックされると、モニタ装置１４の表示画面上にはシナリオダイアログ５８に加えて図９に示すような配置選択ダイアログ６２が現れる。本実施形態では、画像表示領域４６には最大３枚の医用画像が同時に表示できるようになっており、これら医用画像の配置の形態を決定するために配置選択ダイアログ６２が使用される。シナリオダイアログ５８の場合と同様に、配置選択ダイアログ６２の表示位置についてはマウス１８によるドラッグ操作で任意に変えることができる。なお、配置選択ダイアログ６２にも種々のボタンが設けられるが、これらボタンの機能についても必要に応じてその都度説明することにする。
【００６３】
配置選択ダイアログ６２には画像表示領域４６に３枚以下の医用画像をどのような配置で表示するかを選択するために９つの配置選択ボタン６２Ａ、６２Ｂ、６２Ｃ、６２Ｄ、６２Ｅ、６２Ｆ、６２Ｇ、６２Ｈ及び６２Ｉが設けられる。配置選択ボタン６２Ａは画像表示領域４６に１枚の医用画像を表示するために使用されるものであり、配置選択ボタン６２Ｂ及び６２Ｃは画像表示領域４６に２枚の医用画像を表示するために使用されるものであり、配置選択ボタン６２Ｄないし６２Ｉは画像表示領域４６に３枚の医用画像を表示するために使用されるものである。
【００６４】
図９から明らかなように、配置選択ボタン６２Ａを除くその他の配置選択ボタン（６２Ａないし６２Ｉ）の各々には、複数の医用画像を配置する際に画像表示領域４６をどのような態様で分割するか視覚的に認識し得るように分割線が示されている。即ち、配置選択ボタン６２Ｂは画像表示領域４６を左右方向に二分割するために使用され、配置選択ボタン６２Ｃは画像表示領域４６を上下方向に二分割するために使用され、配置選択ボタン６２Ｄは画像表示領域４６を上下方向に二分割してその上方分割領域を更に左右方向に二分割するために使用され、配置選択ボタン６２Ｅは画像表示領域４６を上下方向に二分割してその下方分割領域を更に左右方向に二分割するために使用され、配置選択ボタン６２Ｆは画像表示領域４６を左右方向に二分割してその左方分割領域を更に上下方向に二分割するために使用され、配置選択ボタン６２Ｇは画像表示領域４６を左右方向に二分割してその右方分割領域を更に上下方向に二分割するために使用され、配置選択ボタン６２Ｈは画像表示領域４６を上下方向に三分割するために使用され、配置選択ボタン６２Ｉは画像表示領域４６を左右方向に三分割するために使用される。
【００６５】
例えば、配置選択ボタン６２Ｂがクリックされると、画像表示領域４６を左右方向に二分割する表示態様が選択されたことになり、その後にＯＫボタン６２Ｊがクリックされると、配置選択ダイアログ６２が閉じられると共に画像表示領域４６は図１０に示すように画像表示領域部分４６Ａ及び４６Ｂに二分割され、画像表示領域部分４６Ａ及び４６Ｂには画像表示領域４６と同様にツールバー５０及び表示条件バー５２が設けられる。次いで、シナリオ作成のために必要な所望のサムネイル画像がサムネイル画像表示領域４８から画像表示領域部分４６Ａ及び４６Ｂのそれぞれにマウス１８の操作によってドラッグされると、画像表示領域４６の画像表示領域部分４６Ａ及び４６Ｂのそれぞれには、図１１に示すように、ドラッグされたサムネイル画像に対応した医用画像が表示される。このとき２枚の医用画像はシナリオを構成する１組の医用画像として確定されると共にその１組の医用画像には“スライド０”という仮名称が与えられ、その仮名称“スライド０”は図１１に示すようにシナリオダイアログ５８の編集表示窓部６０に表示される。なお、仮名称“スライド０”は作成すべきシナリオの最小単位となる。
【００６６】
同様な作業を順次繰り返すことにより、シナリオダイアログ５８の編集表示窓部６０には仮名称“スライド１”、“スライド２”、“スライド３”1/4が順次表示される。例えば、図１２に示すように、仮名称“スライド１０”が編集表示窓部６０に表示されたとき、シナリオの作成が一旦完了したとすると、そのシナリオには仮名称“スライド０”ないし“スライド１０”が含まれることになる。
【００６７】
なお、シナリオの作成中に配置選択ダイアログ６２が開かれた後に医用画像の表示配置選択の変更が必要とされない場合には、キャンセルボタン６２Ｋ或いは終了ボタン６２Ｌをクリックすることにより、配置選択ダイアログ６２を閉じることができる。
【００６８】
各仮名称“スライドｎ”（ｎは整数）は画像表示領域に表示されるべき医用画像を特定するための画像ＩＤ番号データ（本実施形態では、最大で３枚分の画像ＩＤ番号データ）と、その医用画像に関する画像情報データと、その医用画像に関する表示条件データとから構成される。例えば、仮名称“スライド０”は図１１の画像表示領域部分４６Ａ及び４６Ｂのそれぞれに表示された医用画像の画像ＩＤ番号データと、それら医用画像に関する画像情報データと、それら医用画像に関する表示条件データとから構成される。図１２の例では、仮名称“スライド１０”が確定された直後であるので、仮名称“スライド１０”が反転表示され、このとき画像表示領域４６には仮名称“スライド１０”に含まれる画像ＩＤ番号データに対応した医用画像が表示されている。
【００６９】
シナリオダイアログ５８の編集表示窓部６０での反転表示についてはマウス１８のクリック操作によりシフトすることが可能であり、これにより仮名称“スライド０”から“スライド９”までのうちの任意の医用画像を画像表示領域４６に表示させることができる。例えば、仮名称“スライド５”がマウス１８によってクリックされると、反転表示は仮名称“スライド１０”から仮名称“スライド５”にシフトされ、このとき仮名称“スライド５”に含まれる画像ＩＤ番号データに対応した画像データが医用画像データベースから読み出され、画像表示領域４６にはその画像データに基づく医用画像データが表示される。要するに、シナリオに含まれる仮名称“スライドｎ”をマウス１８のクリック操作で反転表示させることにより、画像表示領域４６での医用画像表示の切替を任意に行うことができる。
【００７０】
また、画像表示領域４６での医用画像表示の切替については、シナリオダイアログ５８の画像送りボタン５８Ｃ及び５８Ｄを用いて行うこともできる。例えば、図１２に示すように、仮名称“スライド１０”が反転表示された状態で画像送りボタン５８Ｃが一度クリックされると、反転表示は仮名称“スライド１０”から仮名称“スライド９”にシフトされ、このとき画像表示領域４６には仮名称“スライド９”に含まれる画像ＩＤ番号データに対応した医用画像が表示される。画像送りボタン５８Ｃが更にクリックされると、反転表示は仮名称“スライド９”から仮名称“スライド８”にシフトされ、このとき画像表示領域４６には仮名称“スライド８”の医用画像が表示される。即ち、画像送りボタン５８Ｃが一度クリックされる度毎にシナリオダイアログ５８の編集表示窓部６０での反転表示は一段階ずつ上方にシフトされ、これにより画像表示領域４６での医用画像表示の切替が行われる。一方、画像送りボタン５８Ｄが一度クリックされる度毎にシナリオダイアログ５８の編集表示窓部６０での反転表示は一段階筒ずつ下方にシフトされ、これにより画像表示領域４６での医用画像表示の切替が行われる。
【００７１】
シナリオダイアログ５８にはＤＥＬボタン５８Ｅが設けられ、このＤＥＬボタン５８Ｅは一旦作成されたシナリオ或いは現に作成中のシナリオから仮名称“スライドｎ”を削除するために使用される。例えば、図１２に示すようなシナリオから仮名称“スライド３”を削除する場合、仮名称“スライド３”が画像送りボタン５８Ｃ及び５８Ｄを用いる操作により或いはマウス１８のクリック操作により反転表示された後にＤＥＬボタン５８Ｅがクリックされると、仮名称“スライド３”はシナリオから削除される。
【００７２】
本実施形態では、仮名称“スライド３”がシナリオから削除されるたとき、それ以降の仮名称“スライド４”ないし“スライド１０”の番号はその壗維持されるが、仮名称“スライド４”ないし“スライド１０”の番号については必要に応じて順次“３”ないし“９”に繰り下げられてもよい。また、本実施形態では、仮名称“スライド３”がシナリオから削除された後に該シナリオに新たな“仮名称スライド”が加えられるとき、新たな“仮名称スライド”には番号“１１”が付与されて、その新たな“仮名称スライド１１”は仮名称“スライド１０”の次に表示されるようになっているが、その他の態様で行うことも可能である。例えば、新たな“仮名称スライド”に対して、削除された仮名称“スライド３”の番号を付与し、その新たな“仮名称スライド３”の表示位置については、削除された仮名称“スライド３”の表示位置としてもよいし、或いは仮名称“スライド１０”の次の表示位置としてもよい。
【００７３】
図１２に例示するように、シナリオの作成が一旦完了した後にも、仮名称“スライドｎ”の表示配列順を変更することが可能であり、このような仮名称“スライドｎ”の表示配列順の変更についてはマウス１８のドラッグ操作により行うことができる。詳述すると、例えば、仮名称“スライド８”を仮名称“スライド５”の後に配置させたい場合、先ず仮名称“スライド８”が画像送りボタン５８Ｃ及び５８Ｄを用いる操作により或いはマウス１８のクリック操作により反転表示させられ、その反転表示された仮名称“スライド８”がマウス１８のドラッグ操作により仮名称“スライド６”の表示位置までシフトさせられると、仮名称“スライド８”の医用画像は仮名称“スライド５”の医用画像の後に配置させられる。
【００７４】
また、仮名称“スライドｎ”の表示配列順の変更については、シナリオダイアログ５８に設けられれた配列順入替ボタン５８Ｆ及び５８Ｇを用いて行うこともできる。例えば、図１２に示すように、仮名称“スライド１０”が反転表示されている状態で配列順入替ボタン５８Ｆが一回クリックされると、仮名称“スライド１０”は仮名称“スライド９”の表示位置にシフトされ、これにより仮名称“スライド９”と仮名称“スライド１０”との表示位置が互いに入れ替わる。一方、仮名称“スライド９”と仮名称“スライド１０”との表示位置が互いに入れ替わった状態で配列順入替ボタン５８Ｇが一回クリックされると、仮名称“スライド１０”の表示位置は図１２に示す元の位置に戻る。即ち、任意の仮名称“スライドｎ”が反転表示された状態で配列順入替ボタン５８Ｆが一回クリックされる度毎にその仮名称“スライドｎ”の表示位置は一段ずつ上方にシフトされ、任意の仮名称“スライドｎ”が反転表示された状態で配列順入替ボタン５８Ｇが一回クリックされる度毎にその仮名称“スライドｎ”の表示位置は一段ずつ上方にシフトされる。
【００７５】
上述したような仮名称“スライド０”ないし“スライド１０”の場合、それぞれに含まれる画像ＩＤ番号データに対応する医用画像がどのようなものであるかはその医用画像が画像表示領域４６に表示されるまで認識し得ない。そこで、仮名称“スライド０”ないし“スライド１０”についてはそれぞれの医用画像がどのようなものであるかを直ちに認識し得る名称に変更することが必要であり、これについて以下に説明する。
【００７６】
例えば、仮名称“スライド０”の名称を変更する場合、先ず、仮名称“スライド０”が画像送りボタン５８Ｃ及び５８Ｄを用いる操作により或いはマウス１８のクリック操作により反転表示させられ、次いでその反転表示された仮名称“スライド０”がマウス１８のダブルクリックされると、モニタ装置１４の表示画面には図１３に示すような名称入力ダイヤログ６４が現れる。同図に示すように、名称入力ダイアログ６４には名称入力窓枠６４Ａが設けられ、この名称入力窓枠６４Ａには仮名称“スライド０”の医用画像を表す正式名称として適当な文字情報がキーボード１６を通して入力されるようになっている。図１１から明らかなように、仮名称“スライド０”の医用画像は胸部Ｘ線画像であるので、例えば該医用画像を表す正式名称として例えば“胸部Ｘ線”という文字情報が図１４に示すように入力され、その後に名称入力ダイアログ６４のＯＫボタン６４Ｂがクリックされると、名称入力ダイアログ６４が閉じられると共にシナリオダイアログ５８の編集表示窓部６０では、図１５に示すように仮名称“スライド０”は“胸部Ｘ線”という正式名称に書き換えられる。同様な操作を繰り返すことにより、仮名称“スライド１”ないし“スライド１０”はそれぞれ図１６に示すような正式名称に書き換えられる。なお、図１６では、仮名称“スライド１０”が“未固定空気伸展肺Ｘ線”という正式名称に書き換えられた直後であるために、その正式名称が反転表示されている。
【００７７】
なお、図１６に示すように、シナリオを構成する仮名称“スライドｎ”のすべてに正式名称が与えられた後でも、医用画像の削除や医用画像の表示配列順の変更については上述した手順で同様に行うことが可能であり、また該シナリオに新たな仮名称“スライドｎ”を加えることも可能である。
【００７８】
図１６に示すシナリオダイアログ５８の編集表示窓部６０に表示された正式名称“ＣＴ０１”、“ＣＴ０２”及び“摘出肺ＣＴ”に注目すると、各正式名称に含まれる画像ＩＤ番号データに対応した医用画像がＸ線ＣＴ画像であることがその名称から分かる。周知のように、Ｘ線ＣＴ画像は一連のスライス画像データから成り、このような一連のスライス画像データには三次元画像情報が含まれている。本実施形態では、上述した画像編集／提示プログラムにはＸ線ＣＴ画像データを処理して三次元画像を作成する三次元画像作成プログラムも含まれ、この三次元画像作成プログラムによりＸ線ＣＴ画像を三次元画像として表示することが可能であり、このためシナリオダイアログ５８には三次元画像作成プログラムを動作させるためのＥｖボタン５８Ｈが設けられる。なお、ＭＲＩ医用画像データについても一連のスライス画像データから成り、ＭＲＩ医用画像を同様な態様で三次元画像として表示することが可能である。
【００７９】
例えば、正式名称“ＣＴ０１”に含まれる画像ＩＤ番号データに対応したＸ線ＣＴ画像を三次元画像として表示する場合、先ず、正式名称“ＣＴ０１”が画像送りボタン５８Ｃ及び５８Ｄを用いる操作により或いはマウス１８のクリック操作により反転表示させられ、次いでＥｖボタン５８Ｈがクリックされると、正式名称“ＣＴ０１”に含まれる画像ＩＤ番号データに関連した複数のＸ線ＣＴ画像データが医用画像データベースから読み出され、次いでそれらＸ線ＣＴ画像データの二次元画素データ(pixel)から三次元画素データ(voxel)が生成され、これにより該三次元画素データに基づく三次元医用画像が画像表示領域４６に表示される。即ち、画像表示領域４６に二次元画素データに基づいて表示されていたＸ線ＣＴ画像は三次元画素データに基づく三次元医用画像に置き換えられる。このような三次元医用画像では、病巣個所を三次元的に認識し得るので、三次元医用画像の表示については特に医学教育の面で大きな教育効果が期待できる。
【００８０】
本実施形態では、Ｅｖボタン５８Ｈのクリック操作により三次元画像作成プログラムを動作させてＸ線ＣＴ画像データの二次元画素データから三次元画素データが生成されているが、三次元画素データについては前もって作成して医用画像データベースに格納していてもよい。このような場合、画像表示領域４６にＸ線ＣＴ医用画像が表示されている状態でＥｖボタン５８Ｈがクリックされると、そのＸ線ＣＴ画像に対応した三次元画素データが医用画像データベースから読み出され、これにより画像表示領域４６でのＸ線ＣＴ医用画像の表示がその三次元医用画像の表示に切り替えられる。
【００８１】
なお、いずれにしても、三次元医用画像が画像表示領域４６に表示された後に、Ｅｖボタン５８Ｈが再びクリックされると、正式名称“ＣＴ０１”に含まれる画像ＩＤ番号データに対応したＸ線ＣＴ画像データが医用画像データベースから読み出されて、そのＸ線ＣＴ画像データに基づくＸ線ＣＴ画像が二次元画像表示領域４６に表示されることになる。
【００８２】
また、シナリオダイアログ５８にはＣｏｍ１ボタン５８Ｉ、Ｃｏｍ２ボタン５８Ｊ及びＣｏｍ３ボタン５８Ｋが設けられ、Ｃｏｍ１ボタン５８Ｉは当該患者の総合所見データを表示するためのボタンとして機能し、Ｃｏｍ２ボタン５８Ｊは当該患者の患者情報データを表示するためのボタンとして機能し、Ｃｏｍ３ボタン５８Ｋは画像表示領域４６に現に表示されている医用画像の画像情報データを表示するためのボタンとして機能する。
【００８３】
Ｃｏｍ１ボタン５８Ｉがクリックされると、モニタ装置１４の表示画面には図１７に示すような総合所見ダイアログ６６が現れ、この総合所見ダイアログ６６には総合所見表示窓部６６Ａ、登録ボタン６６Ｂ、キャンセルボタン６６Ｃ及び終了ボタン６６Ｄ等が設けられる。総合所見表示窓部６６Ａには上述のシナリオによって提示される種々の医用画像についての総合所見が必要に応じてキーボード１６を通して入力される。総合所見の入力後、登録ボタン６６Ｂがクリックされると、総合所見は総合所見データとしてハードディスク装置１２の所定アドレスに格納されて登録されると共に総合所見ダイアログ６６は閉じられる。Ｃｏｍ１ボタン５８Ｉのクリック操作により総合所見ダイアログ６６が開かれた後に、総合所見を入力することなくキャンセルボタン６６Ｃ或いは終了ボタン６６Ｄがクリックされると、総合所見ダイアログ６６は閉じられる。
【００８４】
Ｃｏｍ２ボタン５８Jがクリックされると、モニタ装置１４の表示画面には図１８に示すような患者情報ダイアログ６８が現れる。患者情報ダイアログ６８には画像表示領域４６に表示された医用画像に係わる患者を特定するための患者情報データが医用画像データベースの該当ヘッダー領域ＨＤの第１の区分領域（図２）から読み出されて表示される。また、図１８に示すように、患者情報ダイアログ６８には“患者プロフィール”欄、“コメント”欄及び“所見”欄が設けられ、これら欄には医用画像データベースの該当ヘッダー領域ＨＤの第２の区分領域（図２）から読み出された患者所見データが表示される。なお、図１８の例では、患者所見データには患者プロフィール情報は含まれていないので、“患者プロフィール”欄には何も表示されていない。患者情報ダイアログ６８には終了ボタン６８Ａが設けられ、この終了ボタン６８Ａがクリックされると、患者情報ダイアログ６８は閉じられる。
【００８５】
Ｃｏｍ３ボタン５８Ｋがクリックされると、モニタ装置１４の表示画面には図１９に示すような画像情報ダイアログ７０が現れる。画像情報ダイアログ７０には、図１９に例示するように、画像表示領域４６に表示された医用画像に係わる患者を特定するための患者情報データとして患者名データ“ＴＴ”及び患者ＩＤ番号データ“ＦＴ００００１”が医用画像データベースの該当ヘッダー領域ＨＤの第１の区分領域（図２）から読み出されて表示される。また、画像情報ダイアログ７０には画像表示領域４６に表示された医用画像に関する画像情報データが医用画像データベースの画像格納領域ＩＳの該当区分領域（第１、第２、第３或いは第４の区分領域）から読み出されて表示される。
【００８６】
図１９から明らかなように、画像情報データには“検査日”、“画像種別”“画像ＩＤ”、“Ｉｍａｇｅ番号”、“Ｓｅｒｉａｌ番号”及び“表示順”が含まれ、また画像情報データには当該医用画像の画像ＩＤ番号データを登録した画像ファイルの保管場所も含まれる。更に、画像情報データには、当該医用画像の“記録密度”、その階調度を表す“ダイナミックレンジ”及びその“取得日”が含まれ、当該医用画像がＸ線画像の場合には、画像情報データには“Ｘ線管電圧”及び“Ｘ線管電流”も含まれる。
【００８７】
画像情報データには当該医用画像の表示する際の条件も含まれ、本実施形態では、図１９に“表示条件１”、“表示条件２”及び“表示条件３”として示すように最大３つの表示条件が用意される。図１９に例示するように、各表示条件には、“ラベル”項目、“位置”項目、“ＷＷ”項目、“ＷＬ”及び“方向”項目が用意される。“ラベル”項目には画像表示領域４６に表示されるべき当該医用画像の表示範囲（例えば単純写真全体像）が表示され、“位置”項目（例えば-100：-110）には該表示範囲の原点座標が表示され、“領域”項目には該表示範囲での垂直方向及び水平方向の画素数（例えば2034：2034）が表示される。また、当該医用画像がＸ線画像或いはＸ線ＣＴ画像である場合には、“ＷＷ”項目及び“ＷＬ”項目にはそれぞれウインド幅値（例えば3951）及びウインドレベル値（例えば2604）が表示される。また、“方向”項目には当該医用画像の回転角度が表示されるが、図１９の例では画像の回転角度はゼロとされる。
【００８８】
上述したように、表示条件バー５２上の表示条件選択窓枠５２Ｄには、そのスクロールバー５２ｄをマウス１８でクッリク操作することにより数値“１”、“２”及び“３”のうちのいずれか１つが選択表示され得るようになっており、これら数値“１”、“２”及び“３”は上述の“表示条件１”、“表示条件２”及び“表示条件３”のそれぞれに対応する。即ち、表示条件選択窓枠５２Ｄで数値“１”が選択されると、画像表示領域４６には医用画像が“表示条件１”で表示され、表示条件選択窓枠５２Ｄで数値“２”が選択されると、画像表示領域４６には医用画像が“表示条件１”で表示される。
【００８９】
図１９に示すように、画像情報データには、更に、当該医用画像の“画像タイトル”、当該医用画像の“中分類”及び“小分類”及び当該医用画像の“画像重要度”も含まれる。また、画像情報データには当該医用画像についての所見も含まれ、この所見は同図に例示するように“コメント”の付された所見表示窓部７０Ａに表示される。所見のすべてが所見表示窓部７０Ａに表示され得ないときには、所見表示窓部７０Ａにはスクロールバー７０Ｂが現れ、このスクロールバー７０Ｂをマウス１８で操作することにより、所見のすべてを見ることができる。なお、画像情報ダイアログ７０には終了ボタン７０Ｃが設けられ、この終了ボタン７０Ｃがクリックされると、画像情報ダイアログ７０は閉じられる。
【００９０】
以上のような総合所見ダイアログ６６、患者情報ダイヤログ６８及び画像情報ダイアログ７０に表示される種々の情報は上述のシナリオによって提示される医用画像と共に有用なものであり、このような情報を医学生に対して提示することにより医学教育効果を一層高めることができる。
【００９１】
シナリオダイヤログ５８にはＳＡＶＥボタン５８Ｌが設けられ、このＳＡＶＥボタン５８Ｌは編集表示窓部６０で作成されたシナリオをパーソナルコンピュータ１０のハードディスク装置１２内に格納するために使用される。即ち、シナリオダイアログ５８のＳＡＶＥボタン５８Ｌがクリックされると、シナリオ保存ダイアログ（図示されない）がモニタ装置１４の表示画面上に現れ、このシナリオ保存ダイアログで所定のシナリオホルダを作成し、そのシナリオホルダに該シナリオが保存されることになる。
【００９２】
また、シナリオダイアログ５８にはＬＯＡＤボタン５８Ｍが設けられ、このＬＯＡＤボタン５８Ｍは既に作成されたシナリオホルダを開くために使用される。ＬＯＡＤボタン５８Ｍがクリックされると、シナリオホルダにアクセスするための読出ダイアログ（図示されない）が現れ、この読出ダイヤログには通常は種々のシナリオが保存された幾つかのシナリオホルダが表示される。それらシナリオホルダのうちの１つがマウス１８の操作によりダブルクリックされると、該シナリオホルダが開かれて、そのシナリオを構成する名称（仮名称或いは正式名称）がシナリオダイアログ５８の編集表示窓部６０に表示され、このとき当該シナリオの再編集が行われたり或いは当該シナリオが講義のために用いられたりする。シナリオの再編集については、上述したシナリオ作成手順と実質的に同様な態様で行うことができる。なお、シナリオを講義のために使用する場合については後で説明することにする。
【００９３】
なお、シナリオダイアログ５８には終了ボタン５８Ｎが設けられ、この終了ボタン５８Ｎがクリックされると、シナリオダイアログ５８は閉じられる。
【００９４】
図２０を参照すると、シナリオの作成時のモニタ装置１４の表示画面が例示され、画像表示領域４６には胸部Ｘ線像が医用画像として表示されている。このような医用画像にマーカーを付すためには、先ず、マーカー入力ボタン５０Ｅをクリックして、モニタ装置１４の表示画面に図２１に示すようなマーカー入力ダイアログ７２を表示させる。
【００９５】
図２２に最もよく図示するように、マーカー入力ダイアログ７２には図形追加ボタン７２Ａ及び入力表示窓部７２Ｂが設けられる。図形追加ボタン７２Ａの下側には入力対象項目、即ち“直線”、“矢印”、“両矢印”、“楕円”、“矩形”及び“文字”が順次配列され、各項目には選択表示丸枠が設けられる。図２２に示す初期状態では、それら入力対象項目は低濃度でインアクティブ表示され、このとき入力選択項目のいずれも選択することはできない。図形追加ボタン７２Ａがクリックされると、図２３に示すように、入力対象項目の表示はインアクティブ表示からアクティブ表示（高濃度）に切り替えられ、このとき入力選択項目の選択が可能となる。例えば、入力選択項目として“楕円”がマウス１８のクリック操作で選択されると、図２３に示すように、“楕円”の選択表示丸枠内に黒丸が表示されると共に入力表示窓部７２Ｂには“楕円”が反転表示され、これにより画像表示領域４６の医用画像にマーカーとして楕円を付すことが可能となる。
【００９６】
詳述すると、画像表示領域４６の医用画像上の任意の一点からマウス１８でクリックした後に右下方向にドラッグすると、医用画像上には該一点とドラッグ個所との間を対角線とする矩形が現れると共にその矩形に内接する楕円が現れる。そのドラッグ操作が終了されると、図２１に例示するように、該楕円が確定して医用画像上に表示される。次に、例えば、入力選択項目として“矢印”がマウス１８のクリック操作で選択されると、“矢印”の選択表示丸枠内に黒丸が表示されると共に入力表示窓部７２Ｂには“矢印”が反転表示され、このとき医用画像上の任意の一点を始点としてクリックした後に別の一点を終点としてクッリクすると、医用画像上には図２１に例示するような矢印が表示される。続いて、例えば、入力選択項目として“矩形”がマウス１８のクリック操作で選択されると、“矩形”の選択表示丸枠内に黒丸が表示されると共に入力表示窓部７２Ｂには“矩形”が反転表示され、このとき医用画像上の任意の一点からマウス１８でクリックした後に右下方向にドラッグすると、医用画像上には該一点とドラッグ個所との間を対角線とする矩形が現れ、そのドラッグ操作が終了されると、図２１に例示するように、該矩形が確定して医用画像上に表示される。この時点では、マーカー入力ダイアログ７２の入力表示窓部７２Ｂには図２４に示すように楕円、矢印及び矩形という文字が入力順に表示される。
【００９７】
図２１に例示するように、マーカーと共に“腫瘍”及び“注目領域”のような文字情報を医用画像上に表示することが可能であり、それら文字情報の入力について説明する。
【００９８】
マーカーとしての“矢印”に“腫瘍”という文字情報を加えるためには、入力表示窓部７２Ｂの“矢印”をマウス１８でクッリクしてその“矢印”を反転表示させる。次いで、反転表示された“矢印”をマウス１８でダブルクリックすると、反転表示された“矢印”はそこに文字情報を入力し得る状態となり、そこで“腫瘍”という文字情報がキーボード１６を通して入力されると、“腫瘍”という文字が図２１に例示するようにマーカーとしての“矢印”の始点に表示される。同様に、マーカーとしての“矩形”に“注目領域”という文字情報を加えるためには、入力表示窓部７２Ｂの“矩形”をマウス１８でクッリクしてその“矢印”を反転表示させる。次いで、反転表示された“矩形”をマウス１８でダブルクリックすると、反転表示された“矢印”はそこに文字情報を入力し得る状態となり、そこで“注目領域”という文字情報がキーボード１６を通して入力されると、“注目領域”という文字が図２１に例示するようにマーカーとしての“矩形”の下辺に表示される。勿論、この時点では、入力表示窓部７２Ｂには“楕円”、“腫瘍”及び“注目領域”が表示されることになる。なお、文字情報としての“腫瘍”及び“注目領域”の表示位置については、“腫瘍”及び“注目領域”をマウス１８でドラッグすることにより変更することができる。
【００９９】
マーカーとしての“直線”及び“両矢印”を医用画像上に表示することについては特に説明しないが、その表示態様はマーカーとしての“矢印”を医用画像上に表示させる場合と実質的に同じであり、またマーカーとしての“直線”及び“両矢印”に対しても上述した場合と同様な態様で適当な文字情報を加えることができる。
【０１００】
マーカーとして図形（“直線”、“矢印”、“両矢印”、“楕円”及び“矩形”）を用いずに文字情報だけを医用画像上に表示することも可能である。詳述すると、入力選択項目として“文字”がマウス１８のクリック操作で選択されると、図２５に示すように、“文字”の選択表示丸枠内に黒丸が表示されると共に入力表示窓部７２Ｂには“文字”が反転表示される。次いで、反転表示された“文字”をマウス１８でダブルクリックすると、反転表示された“文字”はそこに文字情報を入力し得る状態となり、そこで例えば“腫瘍”という文字情報がキーボード１６を通して入力された後に医用画像上の任意の個所がマウス１８でクリックされるとされると、そのクリック個所に“腫瘍”が表示されることになる。なお、この場合も、文字情報としての“腫瘍”の表示位置については、“腫瘍”をマウス１８でドラッグすることにより変更することができる。
【０１０１】
上述したような種々のマーカーについては、その背景となる医用画像に対して目立つように表示されることが好ましく、そのためにマーカー入力ダイアログ７２には窓枠７２Ｃ、窓枠７２Ｄ及び窓枠７２Ｅが設けられる。窓枠７２Ｃはマーカーの表示色を選択するために用いられるものであり、図２２ないし図２５に示すように、初期状態ではマーカーの表示色は黒に設定されるが、マーカーが表示されるべき医用画像の色彩に対して、窓枠７２Ｃのスクロールバー７２ｃをマウス１８で操作することにより、その表示色を適宜選択し得るようになっている。例えば、窓枠７２Ｃに“黄”が選択表示されると、マーカーの表示色は黄色となる。マーカーが図形とされる場合には、その描画線の太さについては窓枠７２Ｄを用いて適宜選択することができる。即ち、窓枠７２Ｄのスクロールバー７２ｄをマウス１８で操作することにより、窓枠７２Ｄに所望の数値が選択表示されると、マーカーとしての図形はその数値に対応した太さの描画線で表示される。また、マーカーが文字情報である場合には、その文字情報の文字サイズについては窓枠７２Ｅを用いて適宜選択することができる。即ち、窓枠７２Ｅのスクロールバー７２ｅをマウス１８で操作することにより、窓枠７２Ｅに所望の文字サイズが選択表示されると、マーカーとしての文字情報はその文字サイズに対応した大きさで表示される。
【０１０２】
マーカー入力ダイアログ７２には削除ボタン７２Ｆが設けられ、この削除ボタン７２Ｆは一旦医用画像上に表示されたマーカーを削除するために用いられる。例えば、図２１に示すように、“楕円”がマーカーとして医用画像上に表示された後にその“楕円”を削除するとき、先ず、医用画像上の“楕円”がマウス１８でクリックされると、“楕円”の表示は点滅表示となり、次いで削除ボタン７２Ｆがクリックされると、マーカーとしての“楕円”は医用画像上から削除されると共に入力表示窓部７２Ｂからも“楕円”が削除される。
【０１０３】
マーカー入力ダイアログ７２には保存ボタン７２Ｇが設けられ、この保存ボタン７２Ｇは医用画像上に表示されたマーカーの保存のために使用される。即ち、例えば、図２１に示すように、医用画像上にマーカーとしての“楕円”、“矢印”、“矩形”、“腫瘍”及び“注目領域”が表示された時点で、保存ボタン７２Ｇがクリックされると、これらマーカーは第１組のマーカーとしてハードディスク装置１２の所定アドレスに格納されて登録される。
【０１０４】
本実施形態では、同一の医用画像に対して最大３組のマーカーを選択的に表示できるようになっており、これら３組のマーカーの作成のためにマーカー入力ダイアログ７２には追加ボタン７２Ｈが設けられる。上述した第１組のマーカーの登録後、追加ボタン７２Ｈがクリックされると、医用画像上からはマーカーとしての“楕円”、“矢印”、“矩形”、“腫瘍”及び“注目領域”の表示が排除されると共に入力表示窓部７２Ｂからも“楕円”、“腫瘍”及び“注目領域”が排除される。次いで、上述した場合と同様な態様で種々のマーカーが医用画像上に表示させられた後に、保存ボタン７２Ｈがクリックされると、それらマーカーは第２組のマーカーとしてハードディスク装置１２の所定アドレスに格納されて登録される。本実施形態では、同様な態様で第３組のマーカーまでの作成が可能であり、第３組のマーカーの登録後に終了ボタン７２Ｉがクリックされると、マーカー入力ダイアログ７２は閉じられる。
【０１０５】
上述したマーカー表示選択窓枠５２Ｅで選択表示される数値“１”、“２”及び“３”のそれぞれは図２０に例示した胸部Ｘ線画像に対して作成された第１組のマーカー、第２組のマーカー及び第３組のマーカーに対応する。例えば、画像表示領域４６に図２０に例示したような胸部Ｘ線画像が表示された状態でマーカー表示選択窓枠５２Ｅに数値“１”が選択表示されると、その胸部Ｘ線画像上には図２１に例示したような第１組のマーカー（“楕円”、“矢印”、“矩形”、“腫瘍”及び“注目領域”）が表示されることになる。
【０１０６】
上述のように一旦作成された第１組から第３組のマーカーについては再編集することも可能である。また、第１組から第３組のマーカーのそれぞれの登録を抹消することも可能であり、そのような登録抹消のためにマーカー入力ダイアログ７２には抹消ボタン７２Jが設けられる。
【０１０７】
詳述すると、画像表示領域４６に図２０に例示したような胸部Ｘ線画像が表示された状態でマーカー入力ボタン５０Ｅがクリックされると、モニタ装置１４の表示画面にはマーカー入力ダイアログ７２が現れる。次いで、マーカー表示選択窓枠５２Ｅに数値“１”が選択表示されると、胸部Ｘ線画像上には第１組のマーカー（“楕円”、“矢印”、“矩形”、“腫瘍”及び“注目領域”）が表示されると共に入力表示窓部７２Ｂには“楕円”、“腫瘍”及び“注目領域”が表示される。ここで、第１組のマーカーに新たなマーカーを上述した手順で加えることも可能であり、また第１組のマーカーの構成する個々のマーカーを上述した手順で削除したり変更したりすることも可能である。このような再編後に保存ボタン７２Ｇがクリックされると、再編集された第１組のマーカーは元のアドレスに再登録される。一方、もし第１組のマーカーが不要となった場合には、抹消ボタン７２Jがクリックされると、第１組のマーカーの登録が抹消される。同様な態様で第２組のマーカー及び第３組のマーカーについても再編集及び登録抹消を行うことができる。
【０１０８】
上述したように作成されたシナリオを用いて講義を行うとき、先ず、画像編集／提示プログラムを立ち上げ、次いでシナリオ作成／表示ボタン３４のクリック操作によりシナリオダイアログ５８をモニタ装置１４の表示画面上に表示させる。続いて、ＬＯＡＤボタン５８Ｍのクリック操作により、シナリオホルダにアクセスするためのダイアログ（図示されない）を表示させて、例えば上述のように作成されれたシナリオを保存したシナリオホルダを開くと、モニタ装置の表示画面は図２６に示すようなものとなる。即ち、シナリオダイアログ５８の編集表示窓部６０には該シナリオを構成する正式名称“胸部Ｘ線”（図１６）が表示され、このとき先頭の正式名称“胸部Ｘ線”が反転表示され、画像表示領域４６には１組の胸部Ｘ線画像が表示される。
【０１０９】
講義時には、ツール表示領域３６は不要なので、図２１に示すように、シナリオ表示モード選択ボタン３２をクリックして画像表示領域４６を拡大すると共にシナリオダイアログ５８の編集表示窓部６０を閉じることが好ましい。本実施形態では、画像表示領域４６に表示された医用画像データはパーソナルコンピュータ１０からＬＡＮを介して複数のパーソナルコンピュータ２０に逐次配信にも配信され、これにより医用画像データを多くの医学生に同時に提示することができる。
【０１１０】
講義の進行に伴って、画像送りボタン５８Ｃをクリックすることにより、画像表示領域４６上の表示画面を医用画像の配列順に切り替えることが可能であり、一方画像送りボタン５８Ｄをクリックすることにより、画像表示領域４６上の表示画面を該配列順とは逆に切り替えることも可能である。また、本発明によれば、講義中、必要に応じて、画像送りボタン５８Ｃ及び５８Ｄを用いることなく、当該シナリオに含まれる任意の医用画像を直ちに画像表示領域４６に表示させることもできる。即ち、シナリオダイアログ５８の編集表示窓部６０を開いて、所望の名称をマウス１８でクリックすることにより、その所望の名称の医用画像を画像表示領域４６に直ちに表示させることが可能であり、このような医用画像の切替機能は講義の進行が医用画像の配列順に拘束されないという点で有効な機能である言える。例えば、最後尾側の医用画像が表示されているときに最先頭側の医用画像を表示させたい場合に画像送りボタン５８Ｄをクリックし続けるよりはマウス１８のクリック操作による画像切替の方が遥かに容易である。また、講義中に、Ｃｏｍ１ボタン５８Ｉ、Ｃｏｍ２ボタン５８Ｊ及びＣｏｍ３ボタン５８Ｋを用いて総合所見データ、患者情報データ及び画像情報データを必要に応じて提示することにより、或いはマーカー表示選択窓枠５２Ｅを用いて医用画像上にマーカーを必要に応じて表示することにより、講義を一層高密度でしかも効果的に行うことができる。
【０１１１】
上述したように、本実施形態では、Ｘ線医用画像を表示する際のウインド幅値（ＷＷ）及びウインドレベル値（ＷＬ）については表示条件選択窓枠５２Ｄを用いて変更し得るようになっているが、マウス１８の操作によりウインド幅値（ＷＷ）及びウインドレベル値（ＷＬ）を任意に変更することも可能である。詳述すると、マウス１８の中央ボタン１８Ａ（図１）を押下した状態で例えば右方に移動させると、ウインド幅（ＷＷ）値は増大し、逆に左方に移動させると、ウインド幅（ＷＷ）値は減少するようになっている。また、マウス１８の中央ボタン１８Ａ（図１）を押下した状態で例えば前方に移動させると、ウインドレベル値（ＷＬ）は増大し、逆に後方に移動させると、ウインドレベル値（ＷＬ）は減少するようになっている。従って、講義中、Ｘ線医用画像については、所望の組織が鮮明に表示されるようにウインド幅値（ＷＷ）及びウインドレベル値（ＷＬ）を調節することができる。
【０１１２】
上述したように、パーソナルコンピュータ１０にはフロッピーディスクドライバ、ＣＤ−ＲＯＭドライバ及びＤＶＤドライバが内蔵されており、このような記憶媒体を用いて本発明による医学教育支援システムを有効に利用することができる。例えば、フロッピーディスクにシナリオを保存し、パーソナルコンピュータ１０とは別のパーソナルコンピュータに該フロッピーディスクをロードすることにより、該シナリオを用いて講義を行うことが可能である。勿論、その場合には別のパーソナルコンピュータには上述した画像編集／提示プログラムと同じものが格納され、しかも該パーソナルコンピュータに上述した医用画像データベースと同じものが構築されていることが前提条件となる。一方、シナリオと共に上述した画像編集／提示プログラム及び医用画像データベースをＣＤ−ＲＯＭディスクやＤＶＤディスクにロードした場合には、パーソナルコンピュータが置かれていれば、どのような場所でも該シナリオを用いて講義を行うことができる。
【０１１３】
図２８はパーソナルコンピュータ１０で実行される画像編集／提示処理ルーチンのフローチャートを示し、この画像編集／提示処理ルーチンの実行は画像編集／提示プログラムの立上げと同時に開始される。なお、先にも述べたように、画像編集／提示プログラム立上げ時にはモニタ装置１４には図３に示すような初期画面が表示される。
【０１１４】
先ず、ステップ２８０１では、ＤＢ読込ボタン３８がクリックされたか否かが監視される。ＤＢ読込ボタン３８のクリック操作が確認されると、ステップ２８０２に進み、ハードディスク装置１２内の医用画像データベースから画像データ等の読込処理が実行される。即ち、医用画像データベースから個々の患者の医用画像データが所見データ等の文字情報データと共に患者ＩＤ番号順に読み出される。次いで、ステップ２８０３では、ＤＢ読込指示フラグＦＤＢが“０”から“１”に書き換えられる。ＤＢ読込指示フラグＦＤＢはＤＢ読込ボタン３８のクリック操作により医用画像データベースにアクセスしたか否かを指示するフラグであり、ＦＤＢ＝０のとき、医用画像データベースに対するアクセスが成されていないことを指示し、ＦＤＢ＝１のとき、医用画像データベースに対するアクセスが既になされていることを指示する。勿論、編集／提示プログラムの立上げ時では、ＤＢ読込指示フラグＦＤＢは“０”に初期化されている。なお、本実施形態では、医用画像データベースに対する検索処理についてはＤＢ読込ボタン３８のクリック操作後にのみ可能とされている。ステップ２８０４では、画像表示処理が実行されるが、これについては図２９に示す画像表示処理ルーチンを参照して後で詳しく説明する。
【０１１５】
ステップ２８０１でＤＢ読込ボタン３８のクリック操作が確認されないとき、或いはステップ２８０４で画像表示処理が完了したとき、ステップ２８０５に進み、そこで検索割込があったか否かが監視される。即ち、ツール表示領域３６に設けられた種々の検索データ入力窓枠のいずれか１つが検索データに対して入力可能状態となったか否かが監視される。例えば、“患者名”の付された患者名入力窓枠がマウス１８のクリック操作により該患者名入力窓枠内でカーソル（縦線）が点滅させられたとき、或いは“病名分類項目”の付された病名分類項目入力窓枠のメニュー表示スクロールバーがクリックされたとき、検索割込があったと判断される。ステップ２８０４で検索割込が確認されると、ステップ２８０５に進み、そこで検索処理が実行されるが、これについては図３０に示す検索処理ルーチンを参照して後で詳しく説明する。
【０１１６】
ステップ２８０５で検索割込が確認されないとき、或いはステップ２８０６で検索処理が完了したとき、ステップ２８０７に進み、そこでシナリオボタン３４がクリックされたか否かが監視される。シナリオボタン３４のクリック操作が確認されると、ステップ２８０８に進み、そこでシナリオダイアログ表示処理が行われ、モニタ装置１４の表示画面には図７に示すようなシナリオダイアログ５８が表示される。次いで、ステップ２８０９でシナリオ作成／表示処理が実行されるが、これについては図３１及び図３２に示すシナリオ作成／表示処理ルーチンを参照して後で詳しく説明する。
【０１１７】
ステップ２８０７でシナリオボタン３４のクリック操作が確認されないとき、或いはステップ２８０９でのシナリオ作成／表示処理が完了したとき、ステップ２８１０に進み、そこでシナリオ表示モード選択ボタン３２がクリックされたか否かが監視される。シナリオ表示モード選択ボタン３２のクリック操作が確認されると、ステップ２８１１に進み、そこで画像表示領域４６の拡大表示処理が行われる。即ち、図５に示すように縮小表示されていた画像表示領域４６は図６に示すように拡大され、これによりモニタ装置１４の表示画面からはツール表示領域３６及びサムネイル画像表示領域４８が排除される。
【０１１８】
ステップ２８１０でシナリオ表示モード選択ボタン３２のクリック操作が確認されないとき、或いはステップ２８１１で拡大表示処理が完了したとき、ステップ２８１２に進み、そこでシナリオ作成モード選択ボタン３３がクリックされたか否かが監視される。シナリオ作成モード選択ボタン３３のクリック操作が確認されると、ステップ２８１３に進み、そこで画像表示領域４６の縮小表示処理が行われる。即ち、図６に示すように拡大表示されていた画像表示領域４６は図５に示すように縮小され、これによりモニタ装置１４の表示画面にはツール表示領域３６及びサムネイル画像表示領域４８が表示される。
【０１１９】
ステップ２８１２でシナリオ作成モード選択ボタン３３のクリック操作が確認されないとき、或いはステップ２８１３で縮小表示処理が完了したとき、ステップ２８１４に進み、そこでマーカー入力ボタン５０Ｅがクリックされたか否かが監視される。マーカー入力ボタン５０Ｅのクリック操作が確認されると、ステップ２８１５に進み、そこでマーカー入力ダイアログ表示処理が行われ、モニタ装置１４の表示画面には図２２に示すようなマーカー入力ダイアログ７２が表示される。次いで、ステップ２８０９でマーカー作成処理が実行されるが、これについては図３４及び３５に示すマーカー作成処理ルーチンを参照して後で詳しく説明する。
【０１２０】
ステップ２８１４でマーカー入力ボタン５０Ｅのクリック操作が確認されないとき、或いはステップ２８１６でマーカー作成処理が完了したとき、ステップ２８１７に進み、そこでスクロールバー５２ｄがクリックされたか否かが監視される。スクロールバー５２ｄのクリック操作が確認されると、ステップ２８１８に進み、そこで表示条件選択処理が実行される。即ち、画像表示領域４６上に現に表示されている医用画像はスクロールバー５２ｄのクッリク操作により表示条件選択窓枠５２Ｄに選択表示された数値に対応した表示条件で表示し直される。例えば、医用画像が表示条件“１”（図１９）に基づいて画像表示領域４６に表示されているとき、表示条件選択窓枠５２Ｄに数値“２”が選択表示されると、該医用画像の表示は“表示条件２”（図１９）に基づくものとなる。
【０１２１】
ステップ２８１７でスクロールバー５２ｄのクリック操作が確認されないとき、或いはステップ２８１８で表示条件選択処理が完了したとき、ステップ２８１９に進み、そこでスクロールバー５２ｅがクリックされたか否かが監視される。スクロールバー５２ｅのクリック操作が確認されると、ステップ２８２０に進み、そこでマーカー表示選択処理が実行される。即ち、例えば、スクロールバー５２ｅのクッリク操作によりマーカー表示選択窓枠５２Ｅに数値“１”が選択表示されると、画像表示領域４６上に現に表示されている医用画像には第１組のマーカーが付されることになる（図２１参照）。
【０１２２】
ステップ２８１９でスクロールバー５２ｅのクリック操作が確認されないとき、或いはステップ２８２０でマーカー表示選択処理が完了したとき、ステップ２８２１に進み、そこでその他のボタン或いはスクロールバーがクリックされたか否かが監視される。その他のボタン或いはスクロールバーのクリック操作が確認されると、ステップ２８２２に進み、そこでその他のボタン或いはスクロールバーに対応した処理が実行される。要するに、モニタ装置１４の表示画面には本発明に直接関係しない種々のボタン或いはスクロールバーが表示されているが、それらボタン或いはスクロールバーのクリック操作に基づく処理がステップ２８２１及び２８２２で代表されている。
【０１２３】
ステップ２８２１でその他のボタン或いはスクロールバーのクリック操作が確認されないとき、或いはステップ２８２２でその他のボタン或いはスクロールバーの対応処理が完了したとき、ステップ２８２３に進み、そこで終了ボタン３０がクリックされたか否かが監視される。終了ボタン３０のクリック操作が確認されないとき、ステップ２８０１に戻り、上述した種々のボタン或いはスクロールバーのクリック操作が再び監視され、クリック操作されたボタンに対応した処理がその都度実行される。
【０１２４】
ステップ２８２３で終了ボタン３０のクリック操作が確認されると、ステップ２８２４に進み、そこで終了処理が実行された後、本ルーチンの実行が終了すると共に画像編集／提示プログラムが閉じられる。
【０１２５】
図２９を参照すると、図２８の画像編集／提示処理ルーチンのステップ２８０４でサブルーチンとして実行される画像表示処理ルーチンのフローチャートが示される。
【０１２６】
ステップ２９０１では、医用画像データベースから読み出された患者データが患者データ表示領域４４に患者ＩＤ番号順に表示されると共にその先頭患者データが反転表示される。ステップ２９０２では、反転表示患者データの医用画像データが医用画像データベースから読み出された後に間引き処理されてサムネイル画像データとされ、次いでステップ２９０３でそれらサムネイル画像データに基づいてサムネイル画像がサムネイル画像表示領域４８に表示される。
【０１２７】
ステップ２９０４では、サムネイル画像表示領域４８上のサムネイル画像に対して、マウス１８によるドラッグ操作が開始されたか否かが監視される。即ち、先に述べたように、個々のサムネイル画像に対応した医用画像を画像表示領域４６に表示させるためには、該サムネイル画像をサムネイル画像表示領域４８から画像表示領域４６までドラッグすることが必要であり、そのドラッグ操作の開始がステップ２９０４で監視される。
【０１２８】
ステップ２９０４で画像ドラッグ操作の開始が確認されると、ステップ２９０５に進み、そこでドラッグ操作が終了したか否かが監視される。ドラッグ操作の終了が確認されると、ステップ２９０６に進み、そこでドラッグ操作が適正に行われたか否かが判断される。ドラッグ操作が適正に行われたとき、ステップ２９０７に進み、そこで当該サムネイル画像に対応した医用画像が画像表示領域４６に表示される。一方、ドラッグ操作が適正に行われなかったとき、例えばドラッグ操作が画像表示領域４６から外れた個所で終了したときには、ドラッグ操作はエラーとされ、ステップ２９０６からステップ２９０４に戻ることになる。この場合には、所望のサムネイル画像を画像表示領域４６に表示させるためには、該サムネイル画像のドラッグ操作を再び行うことが必要である。
【０１２９】
ステップ２９０４で画像ドラッグ操作の開始が確認されないとき、ステップ２９０８に進み、患者データ表示領域４４上の患者データのいずれかがマウス１８によりクリックされたか否かが監視される。患者データのクリック操作が確認されると、ステップ２９０９に進み、そこで該患者データの反転表示シフト処理が行われる。即ち、反転表示がクリック操作された患者データにシフトされる。次いで、ステップ２９０２に戻り、同様な処理が繰り返される。要するに、患者データ表示領域４４上の患者データのいずれかが反転表示により選択されると、その患者データの医用画像がサムネイル化されてサムネイル画像表示領域４８に表示され、そのうちのいずれかのサムネイル画像が画像表示領域４６にドラッグされると、そのサムネイル画像に対応した医用画像が画像表示領域４６に表示されることになる。
【０１３０】
ステップ２９０８で患者データのクリック操作が確認されないとき、ステップ２９１０に進み、そこでモニタ装置１４の表示画面上のいずれかのボタン或いはスクロールバーがクリックされたか否かが監視され、該ボタン或いはスクロールバーのクリック操作が確認されると、そのボタン或いはスクロールバーに対応した処理を実行するために、図２８のメインルーチン即ち画像編集／提示処理ルーチンのステップ２２０５に進む。一方、ステップ２９１０でモニタ装置１４の表示画面上のいずれかのボタン或いはスクロールバーのクリック操作が確認されないときには、ステップ２９０４に戻る。要するに、モニタ装置１４の表示画面上のいずれかのボタン或いはスクロールバーのクリック操作が確認されない限り、図２９の画像表示処理ルーチンの実行が続けられる。
【０１３１】
図３０を参照すると、図２８の画像編集／提示処理ルーチンのステップ２８０６でサブルーチンとして実行される検索処理ルーチンのフローチャートが示される。
【０１３２】
ステップ３００１では、オペレータによりキーボード１６を通して検索データがツール表示領域３６に設けられた種々の検索データ入力窓枠に入力されたか否かが監視される。例えば、ステップ３００１で“患者名”の付された患者名入力窓枠に対する患者名の入力が確認されると、ステップ３００２に進み、そこで入力患者名が該患者名入力窓枠に表示される。
【０１３３】
ステップ３００１で検索データの入力が確認されないとき、或いはステップ３００２で入力検索データ（患者名）の表示が完了した後、ステップ３００３に進み、そこでモニタ装置１４の表示画面上のいずれかのボタン或いはスクロールバーがクリックされたか否かが監視される。ステップ３００３でモニタ装置１４の表示画面上のいずれかのボタン或いはスクロールバーのクリック操作が確認された場合には、該ボタン或いはスクロールバーに対応した処理を実行するために、図２８のメインルーチン即ち画像編集／提示処理ルーチンのステップ２８０７に進む。
【０１３４】
ステップ３００３でモニタ装置１４の表示画面上のいずれかのボタン或いはスクロールバーのクリック操作が確認されない場合には、ステップ３００４に進み、そこでクリアボタン４２がクリックされたか否かが監視される。クリアボタン４２のクリック操作が確認されないときには、ステップ３００５に進み、そこで検索ボタン４０がクリックされたか否かが監視される。検索ボタン４０のクリック操作が確認されないとき、ステップ３００１に戻る。また、ステップ３００４でクリアボタン４２のクリック操作が確認されたときは、ステップ３００６に進み、そこで入力検索データに対するクリア処理が行われ、その後ステップ３００１に戻る。要するに、モニタ装置１４の表示画面上のいずれかのボタン或いはスクロールバーがクリックさない限り、検索データの入力に対して待機状態となり、検索データが入力される度毎にその入力検索データが該当検索データ入力窓枠に表示される（ステップ３００２）。
【０１３５】
ステップ３００５で検索ボタン４０のクリック操作が確認されると、ステップ３００７に進み、そこでＤＢ読込指示フラグＦＤＢが“１”であるか“０”であるかが判断される。ＦＤＢ＝０であるとき、即ち医用画像データベースに対するアクセスが未だなされていないとき、ステップ３００８に進み、そこでエラーメッセージが表示される。即ち、エラー表示ダイアログ（図示されない）がモニタ装置１４の表示画面に現れ、そこには例えば「ＢＤ（データベース）読込を行ってください」というような旨のエラーメッセージが表示される。次いで、ステップ３００９では、エラー表示解除が行われたか否かが監視される。即ち、エラー表示ダイアログ上の表示解除ボタンがクリックされたか否かが監視され、該表示解除ボタンのクリックが確認されると、ステップ３００１に戻り、同様な処理が繰り返される。
【０１３６】
ステップ３００７でＦＤＢ＝１であるとき、即ち医用画像データベースに対するアクセスが完了しているとき、ステップ３０１０に進み、そこで入力検索データに基づく検索処理が実行される。即ち、入力検索データ即ち検索条件に合致する医用画像データが医用画像データベース内にあるか否かについて検索が行われる。次いで、ステップ３０１１では、その検索結果が判断される。検索結果として、検索データ（検索条件）に合致した医用画像データが無いと判断されたときには、ステップ３０１２に進み、そこでエラーメッセージが表示される。即ち、検索結果エラーダイアログ（図示されない）がモニタ装置１４の表示画面に現れ、そこには例えば「該当する医用画像はありません」というような旨のエラーメッセージが表示される。次いで、ステップ３０１３では、検索結果エラーダイアログ上の表示解除ボタンがクリックされたか否かが監視され、該表示解除ボタンのクリックが確認されると、ステップ３００１に戻り、同様な処理が繰り返される。
【０１３７】
ステップ３０１１で検索データ（検索条件）に合致した医用画像データがあると判断されたときには、ステップ３０１４に進み、そこでハードディスク装置１２内の医用画像データベースからの画像データの読込処理が実行される。即ち、検索データ（検索条件）に合致した医用画像データが医用画像データベースから所見データ等の文字情報データと共に患者ＩＤ番号順に読み出される。次いで、ステップ３０１５では、既に説明した画像表示処理（図２９に示す画像表示処理ルーチン）が実行される。
【０１３８】
図３１及び図３２を参照すると、図２８の画像編集／提示処理ルーチンのステップ２８０９でサブルーチンとして実行されるシナリオ作成／表示処理ルーチンのフローチャートが示される。
【０１３９】
ステップ３１０１では、ｍａｘ／ｍｉｎボタン５８Ａがクリックされたか否かが監視される。ｍａｘ／ｍｉｎボタン５８Ａのクリック操作が確認されると、ステップ３１０１に進み、そこで編集表示窓部６０の開閉指示フラグＦｍが“０”であるか“１”であるかが判断される。開閉指示フラグＦｍはシナリオダイアログ５８に編集表示窓部６０が開かれているか閉じられているかを指示するフラグであり、Ｆｍ＝０であるとき、編集表示窓部６０は閉じられた状態にあり、Ｆｍ＝１であるとき、編集表示窓部６０は開かれた状態にある。なお、シナリオダイアログ５８が表示された初期状態（ステップ２８０８）では編集表示窓部６０は閉じられた状態とされるので、画像編集／提示プログラムの立上げ時には開閉指示フラグＦｍは“０”に初期化される。
【０１４０】
ステップ３１０２でＦｍ＝０であるとき、即ち編集表示窓部６０が閉じられているとき、ステップ３１０３に進み、そこで編集表示窓部６０が開かれ、次いでステップ３１０４で開閉指示フラグＦｍは“０”から“１”に書き換えられる。一方、ステップ３１０２でＦｍ＝１であるとき、即ち編集表示窓部６０が開かれているとき、ステップ３１０５に進み、そこで編集表示窓部６０が閉じられ、次いでステップ３１０４で開閉指示フラグＦｍは“１”から“０”に書き換えられる。
【０１４１】
ステップ３１０１でｍａｘ／ｍｉｎボタン５８Ａのクリック操作が確認されないとき、ステップ３１０７に進み、そこでＬＯＡＤボタン５８Ｍがクリックされたか否かが監視される。ＬＯＡＤボタン５８Ｍのクリック操作が確認されると、ステップ３１０８に進み、そこで読出ダイアログ表示処理が行われ、これによりモニタ装置１４には読出ダイアログ（図示されない）が表示され、次いでステップ３１０９でシナリオ読出処理が実行される。即ち、読出ダイアログに表示されたシナリオホルダのうちの１つがマウス１８の操作によりダブルクリックされると、該シナリオホルダが開かれ、そのシナリオがシナリオダイアログ５８の編集表示窓部６０に表示される。即ち、編集表示窓部６０には少なくとも１枚（最大３枚）の医用画像に与えられた名称（仮名称或いは正式名称）が表示される。なお、編集表示窓部６０に表示されたシナリオが例えば未完成のものであれば、それは再編集の対象となり、また該シナリオが完成したものであれば、それは講義のために用いられ得るものとなる。
【０１４２】
ステップ３１０７でＬＯＡＤボタン５８Ｍのクリック操作が確認されないとき、或いはステップ３１０９でシナリオ読出処理が完了したとき、ステップ３１１０に進み、そこでＡＤＤボタン５８Ｂがクリックされたか否かが監視される。ＡＤＤボタン５８Ｂのクリック操作が確認されると、ステップ３１１１に進み、そこで配置選択ダイアログ表示処理が行われる。即ち、モニタ装置１４には図９に示すような配置選択ダイアログ６２が表示される。次いで、ステップ３１１２では、配置選択ダイアログ６２を用いて画像表示領域４６に最大３枚の医用画像をどのような態様で配置させるべきかの配置選択処理が実行される。
【０１４３】
ステップ３１１０でＡＤＤボタン５８Ｂのクリック操作が確認されないとき、或いはステップ３１１２で配置選択処理が完了したとき、ステップ３１１３に進み、そこで画像編集処理が行われるが、これについては図３３に示す画像編集処理ルーチンを参照して後で詳しく説明する。
【０１４４】
ステップ３１１３で画像編集処理が完了すると、ステップ３１１４に進み、そこで画像送りボタン５８Ｄがクリックされたか否かが監視される。画像送りボタン５８Ｄのクリック操作が確認されると、ステップ３１１５に進み、そこで反転表示下方シフト処理が実行される。即ち、編集表示窓部６０での仮名称或いは正式名称の反転表示が一段階下方にシフトされ、これにより画像表示領域４６での医用画像表示の切替が行われる。ステップ３１１４で画像送りボタン５８Ｄのクリック操作が確認されないとき、或いはステップ３１１５で反転表示下方シフト処理が完了したとき、ステップ３１１６に進み、そこで画像送りボタン５８Ｃがクリックされたか否かが監視される。画像送りボタン５８Ｃのクリック操作が確認されると、ステップ３１１７に進み、そこで反転表示上方シフト処理が実行される。即ち、編集表示窓部６０での仮名称或いは正式名称の反転表示が一段階上方にシフトされ、これにより画像表示領域４６での医用画像表示の切替が行われる。なお、編集表示窓部６０が閉じられているときは、画像送りボタン５８Ｃ或いは画像送りボタン５８Ｄのクリック操作時にクリック画像表示領域４６での医用画像表示の切替だけが行われる。
【０１４５】
ステップ３１１６で画像送りボタン５８Ｃのクリック操作が確認されないとき、或いはステップ３１１７で反転表示上方シフト処理が完了したとき、ステップ３１１８に進み（図３２）、そこでＣｏｍ１ボタン５８Ｉがクリックされたか否かが監視される。Ｃｏｍ１ボタン５８Ｉのクリック操作が確認されると、ステップ３１１９に進み、総合所見ダイアログ表示処理が行われ、これにより図１７に示すような総合所見ダイアログ６６がモニタ装置１４に表示され、これによりもし講義中であればシナリオに含まれる医用画像に対する総合所見データが医学生に対して提示される。次いで、ステップ３１２０では、総合所見データ入力処理が実行され、これによりもしシナリオの作成中であれば総合所見データが必要に応じて入力されるか或いは編集される。
【０１４６】
ステップ３１１８でＣｏｍ１ボタン５８Ｉのクリック操作が確認されないとき、或いはステップ３１２０で総合所見データ入力処理が完了したとき、ステップ３１２１に進み、そこでＣｏｍ２ボタン５８Ｊがクリックされたか否かが監視される。Ｃｏｍ２ボタン５８Ｊのクリック操作が確認されると、ステップ３１２２に進み、患者情報ダイアログ表示処理が行われ、これにより図１８に示すような患者情報ダイアログ６８がモニタ装置１４に表示され、これによりもし講義中であれば現に表示中の医用画像の患者情報データが医学生に対して提示される。
【０１４７】
ステップ３１２１でＣｏｍ２ボタン５８Ｊのクリック操作が確認されないとき、或いはステップ３１２２で患者情報ダイアログ表示処理が完了したとき、ステップ３１２３に進み、そこでＣｏｍ３ボタン５８Ｋがクリックされたか否かが監視される。Ｃｏｍ３ボタン５８Ｋのクリック操作が確認されると、ステップ３１２４に進み、画像情報ダイアログ表示処理が行われ、これにより図１９に示すような画像情報ダイアログ７０がモニタ装置１４に表示され、これによりもし講義中であれば現に表示中の医用画像の画像情報データが医学生に対して提示される。
【０１４８】
ステップ３１２３でＣｏｍ３ボタン５８Ｋのクリック操作が確認されないとき、或いはステップ３１２４で画像情報ダイアログ表示処理が完了したとき、ステップ３１２５に進み、そこでＳＡＶＥボタン５８Ｌがクリックされたか否かが監視される。ＳＡＶＥボタン５８Ｌのクリック操作が確認されると、ステップ３１２６に進み、そこでシナリオ保存ダイアログ表示処理が行われ、これによりモニタ装置１４にはシナリオ保存ダイアログ（図示されない）が表示され、次いでステップ３１２７でシナリオ保存処理が実行される。即ち、現に作成されたシナリオが新規なものであれば該シナリオ保存ダイアログで新規のシナリオホルダを作成してそこに保存される。また、現に作成されたシナリオが再編集されたものであれば元のシナリオホルダに上書き保存されたり、或いは必要に応じて新規に作成されたシナリオホルダに保存されたりもする。
【０１４９】
ステップ３１２５でＳＡＶＥボタン５８Ｌのクリック操作が確認されないとき、或いはステップ３１２７でシナリオ保存処理が完了したとき、ステップ３１２８に進み、そこでモニタ装置１４の表示画面上のいずれかのボタン或いはスクロールバーがクリックされたか否かが監視され、該ボタン或いはスクロールバーのクリック操作が確認されると、そのボタン或いはスクロールバーに対応した処理を実行するために、図２８のメインルーチン即ち画像編集／提示処理ルーチンのステップ２８１０に進む。一方、ステップ３１２８でモニタ装置１４の表示画面上のいずれかのボタン或いはスクロールバーのクリック操作が確認されないときには、ステップ３１２９に進み、そこで終了ボタン５８Ｎがクリックされたか否かが監視される。終了ボタン５８Ｎのクリック操作が確認されないときには、ステップ３１０１に戻り、本ルーチンが再び実行される。一方、ステップ３１２９で終了ボタン５８Ｎのクリック操作が確認されると、ステップ３１３０に進み、そこで終了処理が実行された後、本ルーチンの実行が終了すると共にシナリオダイアログ５８が閉じられる。
【０１５０】
図３３を参照すると、図３１及び図３２に示すシナリオ作成／表示処理ルーチンのステップ３１１３でサブルーチンとして実行される画像編集処理ルーチンのフローチャートが示される。
【０１５１】
ステップ３３０１では、サムネイル画像表示領域４８上のサムネイル画像に対して、マウス１８によるドラッグ操作が開始されたか否かが監視される。即ち、先に述べたように、個々のサムネイル画像に対応した医用画像を画像表示領域４６に表示させるためには、該サムネイル画像をサムネイル画像表示領域４８から画像表示領域４６までドラッグすることが必要であり、そのドラッグ操作の開始がステップ３３０１で監視される。
【０１５２】
ステップ３３０１で画像ドラッグ操作の開始が確認されると、ステップ３３０２に進み、そこでドラッグ操作が終了したか否かが監視される。ドラッグ操作の終了が確認されると、ステップ３３０３に進み、そこでドラッグ操作が適正に行われたか否かが判断される。ドラッグ操作が適正に行われたとき、ステップ３３０４に進み、そこで当該サムネイル画像に対応した医用画像が画像表示領域４６に表示される。一方、ドラッグ操作が適正に行われなかったとき、例えばドラッグ操作が画像表示領域４６から外れた個所で終了したときには、ドラッグ操作はエラーとされ、ステップ３３０３からステップ３３０１に戻る。この場合、所望のサムネイル画像を画像表示領域４６に表示させるためには該サムネイル画像のドラッグ操作を再び行うことが必要である。
【０１５３】
ステップ３３０４で画像表示領域４６に対する医用画像の表示が完了すると、ステップ３３０５に進み、そこで画像表示領域４６にすべての医用画像が表示されたか否かが監視される。即ち、本実施形態では、先に述べたように、画像表示領域４６には最大３枚の医用画像が表示され得るようになっており、ステップ３３０５では、画像表示領域４６に対するすべての医用画像の表示が完了した否かが監視される。画像表示領域４６に対するすべての医用画像の表示が完了していないときには、ステップ３３０５からステップ３３０１に戻る。
【０１５４】
ステップ３３０５で画像表示領域４６に対するすべての医用画像の表示が完了すると、ステップ３３０６に進み、そこで仮名称表示処理が行われる。即ち、シナリオダイアログ５８の編集表示窓部６０には仮名称“スライドｎ”が表示され（ｎは整数）、このとき該仮名称“スライドｎ”は反転表示される。要するに、ステップ３３０４で画像表示領域４６に表示された１組の医用画像（最大３枚）に対して仮名称“スライドｎ”が与えられ、そのスライドｎには画像表示領域４６に表示された画像ＩＤ番号データが含まれることになる。
【０１５５】
ステップ３３０１で画像ドラッグ操作の開始が確認されないとき、ステップ３３０７に進み、そこでシナリオダイアログ５８の編集表示窓部６０上の名称（仮名称或いは正式名称）のいずれかがマウス１８によりクリックされたか否かが監視される。編集表示窓部６０上の名称のいずれかのクリック操作が確認されると、ステップ３３０８に進み、そこで名称反転表示シフト処理が行われる。即ち、編集表示窓部６０上の名称反転表示がクリック操作された名称にシフトされ、このとき画像表示領域３６での医用画像表示はその反転表示された名称の医用画像に切り替えられる。
【０１５６】
ステップ３３０７で編集表示窓部６０上の名称のいずれかのクリック操作が確認されないとき、或いはステップ３３０８での名称反転表示シフト処理後、ステップ３３０９に進み、そこでＤＥＬボタン５８Ｅがクリックされたか否かが監視される。ＤＥＬボタン５８Ｅのクリック操作が確認されると、ステップ３３１０に進み、そこで削除処理が行われる。即ち、編集表示窓部６０上で現に反転表示された名称（仮名称或いは正式名称）が消去されると共にその名称に含まれた画像ＩＤ番号データが当該シナリオから削除される。
【０１５７】
ステップ３３０９でＤＥＬボタン５８Ｅのクリック操作が確認されないとき、或いはステップ３３１０での削除処理後、ステップ３３１１に進み、そこで編集表示窓部６０上の反転表示名称に対して、マウス１８によるドラッグ操作が開始されたか否かが監視される。即ち、先に述べたように、当該シナリオで医用画像の表示配列順を変更するためには、編集表示窓部６０上で反転表示された名称（仮名称或いは正式名称）を所望の表示位置までドラッグすることが必要であり、そのドラッグ操作の開始がステップ３３１１で監視される。
【０１５８】
ステップ３３１１で反転表示名称のドラッグ操作の開始が確認されると、ステップ３３１２に進み、そこで反転表示名称のラッグ操作が終了したか否かが監視される。反転表示名称のドラッグ操作の終了が確認されると、ステップ３３１３に進み、そこで名称表示位置変更処理が行われる。即ち、反転表示名称がドラッグされた位置にあった名称とそれ以降の名称の表示位置が順次繰り下げられる。勿論、このとき反転表示名称がドラッグされた位置にあった名称が編集表示窓部６０上で最後尾位置にあるときには、その名称の表示位置だけが繰り下げられる。
【０１５９】
ステップ３３１１でマウス１８によるドラッグ操作の開始が確認されないとき、或いはステップ３３１３での名称表示位置変更処理後、ステップ３３１４に進み、配列順入替ボタン５８Ｆがクリックされたか否かが監視される。配列順入替ボタン５８Ｆのクリック操作が確認されると、ステップ３３１５に進み、そこでシナリオ中の互いに隣接する名称（仮名称或いは正式名称）の表示位置直上入替処理が実行される。即ち、配列順入替ボタン５８Ｆがクリックされると、編集表示窓部６０で反転表示された名称（仮名称及び正式名称）の表示位置がその直上に表示された名称の表示位置と入れ替えられる。
【０１６０】
ステップ３３１４で配列順入替ボタン５８Ｆのクリック操作が確認されないとき、或いはステップ３３１５での表示位置直上入替処理後、ステップ３３１６に進み、配列順入替ボタン５８Ｇがクリックされたか否かが監視される。配列順入替ボタン５８Ｇのクリック操作が確認されると、ステップ３３１７に進み、そこでシナリオ中の互いに隣接する名称（仮名称或いは正式名称）の表示位置直下入替処理が実行される。即ち、配列順入替ボタン５８Ｆがクリックされると、編集表示窓部６０で反転表示された名称（仮名称及び正式名称）の表示位置がその直下に表示された名称の表示位置と入れ替えられる。
【０１６１】
ステップ３３１６で配列順入替ボタン５８Ｇのクリック操作が確認されないとき、或いはステップ３３１７での表示位置直下入替処理後、ステップ３３１８に進み、そこでＥｖボタン５８Ｈがクリックされたか否かが監視される。Ｅｖボタン５８Ｈのクリック操作が確認されると、ステップ３３１９に進み、そこで画像表示領域４６に現に表示されている医用画像（即ち、編集表示窓部６０上で反転表示された名称の医用画像）がＸ線ＣＴ画像であるか否かが判断される。画像表示領域４６に現に表示されている医用画像がＸ線ＣＴ画像でないとき、ステップ３３２０に進み、そこでエラーメッセージが表示される。即ち、エラー表示ダイアログ（図示されない）がモニタ装置１４の表示画面に現れ、そこには例えば「該当医用画像は三次元表示はできません」というような旨のエラーメッセージが表示される。次いで、ステップ３３２１では、エラー表示解除が行われたか否かが監視される。即ち、上述のエラー表示ダイアログの表示解除ボタンがクリックされたか否かが監視され、該表示解除ボタンのクリックが確認されると、ステップ３３０１に戻り、同様な処理が繰り返される。
【０１６２】
一方、ステップ３３１９で画像表示領域４６に現に表示されている医用画像がＸ線ＣＴ画像であると判断されたとき、ステップ３３２２に進み、そこで三次元画像作成処理が行われる。即ち、上述した三次元画像作成プログラムに基づいて当該Ｘ線ＣＴ画像データが処理され、これにより画像表示領域４６上には該Ｘ線ＣＴ画像が三次元画像として表示される。なお、Ｘ線ＣＴ画像データの二次元画素データから三次元画素データが前もって生成され、その三次元画素データが医用画像データベースに格納されている場合には、ステップ３３２２では、医用画像データベースからの三次元画像データの読出しが行われる。
【０１６３】
ステップ３３１８でＥｖボタン５８Ｈのクリック操作が確認されないとき、或いはステップ３３２２での三次元画像作成処理後、ステップ３３２３に進み、そこでシナリオダイアログ５８の編集表示窓部６０上の名称（仮名称或いは正式名称）のいずれかがマウス１８によりダブルクリックされたか否かが監視される。編集表示窓部６０上の名称のいずれかのダブルクリック操作が確認されると、ステップ３３２４に進み、そこで名称入力ダイアログ表示処理が行われ、これによりモニタ装置１４には図１３及び図１４に示すような名称入力ダイヤログ６４が表示される。次いで、ステップ３３２５では、名称入力処理が行われる。即ち、先に述べたように、名称入力ダイヤログ６４の名称入力窓枠６４Ａにキーボード１６を通して適当な名称を入力することにより、当該名称（即ち、編集表示領域６０上で反転表示された名称）がその入力名称に変更される。
【０１６４】
ステップ３３２３で編集表示窓部６０上の名称のいずれかのダブルクリック操作が確認されないとき、或いはステップ３３２５での名称入力処理後、ステップ３３２６に進み、そこでモニタ装置１４の表示画面上のいずれかのボタン或いはスクロールバーがクリックされたか否かが監視される。ステップ３３２６でモニタ装置１４の表示画面上のいずれかのボタン或いはスクロールバーのクリック操作も確認されない場合には、ステップ３３０１に戻り、同様な処理が繰り返される。一方。モニタ装置１４の表示画面上のいずれかのボタン或いはスクロールバーのクリック操作が確認された場合には、該ボタンに対応した処理を実行するために、図３１及び図３２のシナリオ作成／表示処理ルーチンのステップ３１１４に進む。
【０１６５】
図３４及び図３５を参照すると、図２８の画像編集／提示処理ルーチンのステップ２８１６でサブルーチンとして実行されるマーカー作成処理ルーチンのフローチャートが示される。
【０１６６】
ステップ３４０１では、図形追加ボタン７２Ａがクリックされたか否かが監視される。図形追加ボタン７２Ａのクリック操作が確認されると、ステップ３４０２に進み、そこでアクティブ表示指示フラグＦＡＣが“０”であるか“１”であるかが判断される。アクティブ表示指示フラグＦＡＣはマーカー入力ダイアログ７２上の入力対象項目、即ち“直線”、“矢印”、“両矢印”、“楕円”、“矩形”及び“文字”がインアクティブ（低濃度）表示されているかアクティブ（高濃度）表示されているかを指示するフラグであり、ＦＡＣ＝０であるとき、入力対象項目はインアクティブ表示の状態にあり、ＦＡＣ＝１であるとき、入力対象項目はアクティブ表示の状態にある。なお、マーカー入力ダイアログ７２が表示された初期状態（ステップ２８１５）では、入力対象項目はインアクティブ表示とされるので、画像編集／提示プログラムの立上げ時にはアクティブ表示指示フラグＦＡＣは“０”に初期化される。
【０１６７】
ステップ３４０２でＦＡＣ＝０であるとき、即ち入力対象項目がインアクティブ表示とされているとき、ステップ３４０３に進み、そこで入力対象項目に対するアクティブ表示処理が行われる。即ち、入力対象項目の表示がインアクティブ表示からアクティブ表示に変えられる。次いで、ステップ３４０４でアクティブ表示指示フラグＦＡＣは“０”から“１”に書き換えられる。一方、ステップ３４０２でＦＡＣ＝１であるとき、入力対象項目がアクティブ表示とされているとき、ステップ３４０５に進み、そこで入力対象項目に対するインアクティブ表示処理が行われる。即ち、入力対象項目の表示がアクティブ表示からインアクティブ表示に変えられる。次いで、ステップ３４０６でアクティブ表示指示フラグＦＡＣは“１”から“０”に書き換えられる。
【０１６８】
ステップ３４０１で図形追加ボタン７２Ａのクリック操作が確認されないとき、或いはステップ３４０４または３４０６でアクティブ表示指示フラグＦＡＣの書換が行われた後、ステップ３４０７に進み、そこで入力対象項目のいずれかがクリックされたか否かが監視される。入力対象項目のいずれのクリック操作が確認されないとき、ステップ３４１２までスキップする。
【０１６９】
ステップ３４０７で入力対象項目のいずれのクリック操作が確認されると、ステップ３４０８に進み、そこでアクティブ表示指示フラグＦＡＣが“１”であるか“０”であるかが判断される。ステップ３４０８でＦＡＣ＝０であるとき、即ち入力対象項目がインアクティブ表示とされているとき、入力対象項目に対するクリック操作は無効とされ、ステップ３４１２までスキップする。
【０１７０】
ステップ３４０８でＦＡＣ＝１であるとき、即ち入力対象項目がアクティブ表示とされているとき、ステップ３４０９に進み、そこでマーカー入力ダイアログ７２の入力表示窓部７２Ｂに対する入力対象項目表示処理が実行される。即ち、例えば、入力対象項目として“楕円”がクリックされたとすると、入力表示窓部７２Ｂには“楕円”が反転表示されると共に入力対象項目“楕円”の選択表示丸枠内には黒丸が表示される。次いで、ステップ３４１０では、マーカー作成割込ががあったか否かが監視される。即ち、画像表示領域４６に表示された医用画像上でのマウス１８のクリック操作或いはドラッグ操作が開始されたか否かが監視される。ステップ３４１０でマーカー作成割込が確認されないときには、ステップ３４１２までスキップする。
【０１７１】
ステップ３４１０でマーカー作成割込が確認されると、ステップ３４１１に進み、そこでマーカー作成処理が実行される。即ち、マウス１８のクリック操作或いはドラッグ操作に従って若しくはキーボード２６の文字入力操作に従って、例えば“矢印”、“楕円”、“矩形”、“腫瘍”或いは“注目領域”等がマーカーとして医用画像上に表示される。また、マーカー作成処理には医用画像上のマーカー表示位置をドラッグ操作によりシフトさせる処理も含まれる。
【０１７２】
ステップ３４１１でマーカー作成処理が一旦完了すると、ステップ３４１２に進み、そこでスクロールバー７２ｃがクリックされたか否かが監視される。スクロールバー７２ｃのクリック操作が確認されると、ステップ３４１３に進み、そこで表示色選択処理が実行される。即ち、スクロールバー７２ｃをマウス１８で操作することにより例えば“黄”が選択されると、窓枠７２Ｃには“黄”が表示され、これによりマーカーの表示色は黄色とされる。
【０１７３】
ステップ３４１２でスクロールバー７２ｃのクリック操作が確認されないとき、或いはステップ３４１３で表示色選択処理が完了した後、ステップ３４１４に進み、そこでスクロールバー７２ｄがクリックされたか否かが監視される。スクロールバー７２ｄのクリック操作が確認されると、ステップ３４１５に進み、そこで描画線選択処理が実行される。即ち、スクロールバー７２ｄをマウス１８で操作することにより所望の数値が選択されると、窓枠７２Ｄには該数値が表示され、マーカーとしての図形はその数値に対応した太さの描画線で表示される。
【０１７４】
ステップ３４１４でスクロールバー７２ｄのクリック操作が確認されないとき、或いはステップ３４１５で描画線選択処理が完了した後、ステップ３４１６に進み、そこでスクロールバー７２ｅがクリックされたか否かが監視される。スクロールバー７２ｅのクリック操作が確認されると、ステップ３４１７に進み、そこで文字サイズ選択処理が実行される。即ち、スクロールバー７２ｅをマウス１８で操作することにより所望の文字サイズが選択されると、窓枠７２Ｅには該文字サイズが表示され、マーカーとしての文字情報はその文字サイズに対応した大きさで表示される。
【０１７５】
ステップ３４１６でスクロールバー７２ｅのクリック操作が確認されないとき、或いはステップ３４１７で文字サイズ選択処理が完了した後、ステップ３４１８（図３５）に進み、そこで医用画像上のマーカーのいずれかがクリックされたか否かが監視される。マーカーのいずれかのクリック操作が確認されないとき、ステップ３４２２までスキップする。
【０１７６】
ステップ３４１８で医用画像上のマーカーのいずれかのクリック操作が確認されると、ステップ３４１９に進み、そこでマーカー点滅表示処理が実行される。即ち、クリック操作の対象となったマーカーだけ点滅表示される。次いで、ステップ３４２０では削除ボタン７２Ｆがクリックされたか否かが監視される。削除ボタン７２Ｆのクリック操作が確認されると、ステップ３４２１に進み、そこでマーカー削除処理が実行される。即ち、点滅表示されたマーカーが医用画像上から削除される。
【０１７７】
ステップ３４２０で削除ボタン７２Ｆのクリック操作が確認されないとき、ステップ３４２２に進み、そこで保存ボタン７２Ｇがクリックされたか否かが監視される。ステップ３４２２で保存ボタン７２Ｇのクリック操作が確認されると、ステップ３４２３に進み、そこでマーカー登録処理が実行される。即ち、医用画像上に表示された少なくとも１つのマーカーは１組のマーカーとしてハードディスク装置１２の所定アドレスに格納されて登録される。
【０１７８】
なお、図３４及び図３５のマーカー作成ルーチンには図示されていないが、本実施形態では、上述したように、同一の医用画像に対して最大３組のマーカーが登録され得るので、同一医用画像に対して４組目のマーカーを登録すべく保存ボタン７２Ｇがクリックされたときには、該４組目のマーカーが登録し得ない旨のエラーメッセージを表示することが好ましい。
【０１７９】
ステップ３４２２で保存ボタン７２Ｇのクリック操作が確認されないとき、或いはステップ３４２３でマーカー登録処理が完了したとき、ステップ３４２４に進み、そこで追加ボタン７２Ｈがクリックされたか否かが監視される。上述したように、追加ボタン７２Ｈは同一の医用画像に対して別の組のマーカーを該医用画像に作成するために使用されるものである。追加ボタン７２Ｈのクッリク操作が確認されると、ステップ３４２５に進み、そこで追加前処理が実行される。即ち、追加前処理では、医用画像上に別の組のマーカーを作成するために、前の組のマーカーが該医用画像上から削除され、その後ステップ３４０１に戻り、別の組のマーカーの作成のために同様な処理が繰り返される。
【０１８０】
ステップ３４２４で追加ボタン７２Ｈのクリック操作が確認されないとき、ステップ３４２６に進み、そこで抹消ボタン７２Ｉがクリックされたか否かが監視される。抹消ボタン７２Ｉのクリック操作が確認されると、ステップ３４２７に進み、そこで登録抹消処理が行われる。即ち、。医用画像上に現に表示されているマーカーが削除されると共にその１組のマーカーに対する登録抹消が行われる。
【０１８１】
ステップ３４２６で抹消ボタン７２Ｉのクリック操作が確認されないとき、或いはステップ３４２７で登録抹消処理が完了した後、ステップ３４２８に進み、そこで終了ボタン７２Ｊがクリックされたか否かが監視される。終了ボタン７２Ｊのクリック操作が確認されないときには、ステップ３４０１に戻り、本ルーチンが再び実行される。一方、ステップ３４２８で終了ボタン７２Ｊのクリック操作が確認されると、ステップ３４２９に進み、そこで終了処理が実行された後、本ルーチンの実行が終了すると共にマーカー入力ダイアログ７２が閉じられる。
【０１８２】
以上で述べた実施形態では、医用画像データを多くの医学生に同時に提示するために、パーソナルコンピュータ１０にＬＡＮを介して複数のパーソナルコンピュータ２０を接続させているが、パーソナルコンピュータ１０に液晶プロジェクタを接続させて医用画像を大画面で提示してもよい。また、小人数の医学生を対象するような場合には、モニタ装置１４だけを用いてもよい。
【図面の簡単な説明】
【０１８３】
【図１】本発明による医学教育支援システムの一実施形態を示す概念図である。
【図２】図１に示すハードディスク装置に構築された医用画像データベースに医用画像データを格納するためのフォーマットを示す概念図である。
【図３】本発明による画像編集／提示プログラムの立上げ時に図１のモニタ装置に表示された初期表示画面を示す説明図である。
【図４】図１のモニタ装置の表示画面の一例を示す説明図である。
【図５】図１のモニタ装置の表示画面の別の例を示す説明図である。
【図６】図１のモニタ装置の表示画面の更に別の例を示す説明図である。
【図７】図１のモニタ装置の表示画面上に現れるシナリオダイアログを示す説明図である。
【図８】図７のシナリオダイアログに編集表示窓部を開いた状態で該シナリオダイアログを示す説明図である。
【図９】図１のモニタ装置の表示画面上に現れる配置選択ダイアログを示す説明図である。
【図１０】図１のモニタ装置の表示画面の更に別の例を示す説明図である。
【図１１】図１のモニタ装置の表示画面の更に別の例を示す説明図である。
【図１２】図８のシナリオダイヤログの編集表示窓部にシナリオを作成した状態で該シナリオダイアログを示す説明図である。
【図１３】図１のモニタ装置の表示画面上に現れる名称入力ダイアログを示す説明図である。
【図１４】図１３の名称入力ダイアログの名称入力窓枠に文字情報を入力した状態で該名称入力ダイアログを示す説明図である。
【図１５】図１２のシナリオダイアログの編集表示窓部に表示された仮名称１つを正式名称で置き換えた状態で該シナリオダイアログを示す説明図である。
【図１６】図１５のシナリオダイアログの編集表示窓部に表示されたすべての仮名称を正式名称で置き換えた状態で該シナリオダイアログを示す説明図である。
【図１７】図１のモニタ装置の表示画面上に表示された総合所見ダイアログを示す説明図である。
【図１８】図１のモニタ装置の表示画面上に表示された患者情報ダイアログを示す説明図である。
【図１９】図１のモニタ装置の表示画面上に表示された画像情報ダイアログを示す説明図である。
【図２０】シナリオの作成時のモニタ装置の表示画面を例示する説明図である。
【図２１】図２０と同様な説明図であって、モニタ装置の表示画面にマーカー入力ダイアログを表示させた図である。
【図２２】図２１に示したマーカー入力ダイアログの拡大図であって、該マーカー入力ダイアログを初期状態で示す図である。
【図２３】図２２と同様な拡大図であって、該マーカー入力ダイアログの入力表示窓部に入力対象項目として“楕円”を表示させた図である。
【図２４】図２２と同様な拡大図であって、該マーカー入力ダイアログの入力表示窓部に入力対象項目として“楕円”、“矢印”及び“矩形”を表示させた図である。
【図２５】図２２と同様な拡大図であって、該マーカー入力ダイアログの入力表示窓部に入力対象項目として“文字”を表示させた図である。
【図２６】図１のモニタ装置の表示画面上のシナリオダイアログにＬＯＡＤボタンのクリック操作により所定のシナリオを開いた際の表示例を示す説明図である。
【図２７】図２０のモニタ装置の表示画面上の画像表示領域を拡大させた状態を示す説明図である。
【図２８】本発明による医学教育支援システムでメインルーチンとして実行される画像編集／提示処理ルーチンのフローチャートである。
【図２９】図２８の画像編集／提示処理ルーチンでサブルーチンとして実行される画像表示処理ルーチンのフローチャートである。
【図３０】図２８の画像編集／提示処理ルーチンでサブルーチンとして実行される検索処理ルーチンのフローチャートである。
【図３１】図２８の画像編集／提示処理ルーチンでサブルーチンとして実行されるシナリオ作成／表示処理ルーチンのフローチャートの一部分である。
【図３２】図２８の画像編集／提示処理ルーチンでサブルーチンとして実行されるシナリオ作成／表示処理ルーチンのフローチャートの残りの部分である。
【図３３】図３１及び図３２のシナリオ作成／表示処理ルーチンでサブルーチンとして実行されるシ画像編集処理ルーチンである。
【図３４】図２８の画像編集／提示処理ルーチンでサブルーチンとして実行されるマーカー作成処理ルーチンのフローチャートの一部分である。
【図３５】図２８の画像編集／提示処理ルーチンでサブルーチンとして実行されるマーカー作成処理ルーチンのフローチャートの残りの部分である。
【符号の説明】
【０１８４】
１０：パーソナルコンピュータ
１２：外部記憶装置（ハードディスク装置）
１４：モニタ装置
１６：キーボード
１８：マウス
２０：パーソナルコンピュータ
２２：フィルムデジタイザ
２４：スライドスキャナ
４６：画像表示領域
４８：サムネイル画像表示
５８：シナリオダイアログ
６０：編集表示窓部
６２：配置選択ダイアログ
６４：名称入力ダイヤログ
【図１】
2005253638.tif 000003
【図２】
2005253638.tif 000004
【図３】
2005253638.tif 000005
【図４】
2005253638.tif 000006
【図５】
2005253638.tif 000007
【図６】
2005253638.tif 000008
【図７】
2005253638.tif 000009
【図８】
2005253638.tif 000010
【図９】
2005253638.tif 000011
【図１０】
2005253638.tif 000012
【図１１】
2005253638.tif 000013
【図１２】
2005253638.tif 000014
【図１３】
2005253638.tif 000015
【図１４】
2005253638.tif 000016
【図１５】
2005253638.tif 000017
【図１６】
2005253638.tif 000018
【図１７】
2005253638.tif 000019
【図１８】
2005253638.tif 000020
【図１９】
2005253638.tif 000021
【図２０】
2005253638.tif 000022
【図２１】
2005253638.tif 000023
【図２２】
2005253638.tif 000024
【図２３】
2005253638.tif 000025
【図２４】
2005253638.tif 000026
【図２５】
2005253638.tif 000027
【図２６】
2005253638.tif 000028
【図２７】
2005253638.tif 000029
【図２８】
2005253638.tif 000030
【図２９】
2005253638.tif 000031
【図３０】
2005253638.tif 000032
【図３１】
2005253638.tif 000033
【図３２】
2005253638.tif 000034
【図３３】
2005253638.tif 000035
【図３４】
2005253638.tif 000036
【図３５】
2005253638.tif 000037